(57)【要約】  本開示の態様は、無線アクセスネットワーク内でタイミングアドバンスを構成することを可能にするかまたはサポートする通信システム、装置、および方法に関する。方法は、スケーラブルな数秘学を有する変調方式を利用する無線アクセスネットワークのためのタイミングアドバンス構成を定義することと、無線アクセスネットワークと通信しているユーザ機器（ＵＥ）のためのタイミングアドバンス構成と一致するタイミングアドバンスパラメータを決定することと、ＵＥに関係する初期アクセス手順の間に、またはＵＥが無線アクセスネットワーク内で接続状態にある間に、ＵＥにタイミングアドバンスパラメータを送信することとを含む。タイミングアドバンス構成は、無線アクセスネットワークによって使用される数秘学に適応するように定義されてよい。【選択図】図１０
2020522930.tif 000002
【特許請求の範囲】
【請求項１】
タイミングアドバンスを構成するための方法であって、
スケーラブルな数秘学を有する変調方式を利用する無線アクセスネットワークのためのタイミングアドバンス構成を定義すること、ここにおいて、前記タイミングアドバンス構成は、前記無線アクセスネットワークによって使用される数秘学に適応するように定義される、と、
前記無線アクセスネットワークと通信しているユーザ機器（ＵＥ）のための前記タイミングアドバンス構成と一致するタイミングアドバンスパラメータを決定することと、
前記ＵＥに関係する初期アクセス手順の間に、または前記ＵＥが前記無線アクセスネットワーク内で接続状態にある間に、前記ＵＥに前記タイミングアドバンスパラメータを送信することと
を備える、方法。
【請求項２】
前記タイミングアドバンス構成を定義することは、
前記無線アクセスネットワークのために定義された１つまたは複数のサブキャリア間隔のためのタイミングアドバンスステップサイズを構成することを備える、
請求項１に記載の方法。
【請求項３】
前記タイミングアドバンス構成を定義することは、
前記無線アクセスネットワークのために定義されたすべてのサブキャリア間隔のためのタイミングアドバンスステップサイズを構成することを備える、
請求項１に記載の方法。
【請求項４】
前記無線アクセスネットワークのためにサブキャリア間隔のグループが定義され、前記タイミングアドバンス構成を定義することは、
前記サブキャリア間隔のグループ内のサブキャリア間隔のためのタイミングアドバンスステップサイズを構成することを備える、
請求項１に記載の方法。
【請求項５】
前記サブキャリア間隔のグループは、１５ｋＨｚ、３０ｋＨｚ、および６０ｋＨｚのサブキャリア間隔を含む、
請求項４に記載の方法。
【請求項６】
前記サブキャリア間隔のグループは、１２０ｋＨｚおよび２４０ｋＨｚのサブキャリア間隔を含む、
請求項４に記載の方法。
【請求項７】
前記無線アクセスネットワークのためにサイクリックプレフィックス長のグループが定義され、前記タイミングアドバンス構成を定義することは、
サイクリックプレフィックス長の前記グループ内のサイクリックプレフィックス長ごとにタイミングアドバンスステップサイズを構成することを備える、
請求項１に記載の方法。
【請求項８】
前記タイミングアドバンス構成を定義することは、
前記タイミングアドバンスパラメータ内で前記ＵＥに送信されるタイミングアドバンス持続時間を表すために使用されるビット数を構成することを備える、
請求項１に記載の方法。
【請求項９】
前記タイミングアドバンス構成を定義することは、
前記無線アクセスネットワークのために定義された１つまたは複数のサブキャリア間隔のためのタイミングアドバンスステップサイズを構成することを備え、
前記タイミングアドバンスステップサイズ、および前記タイミングアドバンス持続時間を表すために使用される前記ビット数は、最大タイミングアドバンス持続時間、または所望のタイミングアドバンス粒度を有する前記無線アクセスネットワークの範囲を取得するために選択される、
請求項８に記載の方法。
【請求項１０】
前記所望のタイミングアドバンス粒度は、ハイブリッド自動再送要求（ＨＡＲＱ）タイムラインによって決定される、
請求項９に記載の方法。
【請求項１１】
前記タイミングアドバンス構成を定義することは、
前記無線アクセスネットワークのために定義された１つまたは複数のサブキャリア間隔のためのタイミングアドバンスステップサイズを構成することを備え、
前記タイミングアドバンスステップサイズ、および前記タイミングアドバンス持続時間を表すために使用される前記ビット数は、ハイブリッド自動再送要求（ＨＡＲＱ）のための前記無線アクセスネットワークによって定義された最大タイミングアドバンス持続時間を取得するために選択される、
請求項８に記載の方法。
【請求項１２】
前記タイミングアドバンス構成を定義することは、
前記無線アクセスネットワークのために定義された１つまたは複数のサブキャリア間隔のためのタイミングアドバンスステップサイズに基づいて、タイミングアドバンス持続時間を表すために使用されるビット数を構成すること
を備える、
請求項１に記載の方法。
【請求項１３】
前記タイミングアドバンス構成を定義することは、
前記ＵＥが拡張モバイルブロードバンド（ｅＭＢＢ）のＵＥとして動作するように構成されるときのタイミングアドバンス持続時間を表すために使用される第１のビット数を構成することと、
前記ＵＥが超高信頼低遅延通信（ＵＲＬＬＣ）のＵＥとして動作するように構成されるときの前記タイミングアドバンス持続時間を表すために使用される第２のビット数を構成することと
を備える、請求項１に記載の方法。
【請求項１４】
前記タイミングアドバンス構成を定義することは、
前記ＵＥが拡張モバイルブロードバンド（ｅＭＢＢ）のＵＥとして動作するように構成されるときの第１のタイミングアドバンスステップサイズを構成することと、
前記ＵＥが超高信頼低遅延通信（ＵＲＬＬＣ）のＵＥとして動作するように構成されるときの第２のタイミングアドバンスステップサイズを構成することと
を備える、請求項１に記載の方法。
【請求項１５】
前記タイミングアドバンス構成を定義することは、
前記無線アクセスネットワークによって使用される周波数範囲に基づいて、サブキャリア間隔のための１つまたは複数のタイミングアドバンスステップサイズを構成することを備え、前記無線アクセスネットワークが、サブ６周波数およびミリメートル波に関連付けられた帯域幅を使用するように構成可能である、
請求項１に記載の方法。
【請求項１６】
ワイヤレス通信のための装置であって、
無線アクセスネットワークによって使用される数秘学に適応するようにタイミングアドバンス構成を定義することに適合された、スケーラブルな数秘学を有する変調方式を利用する前記無線アクセスネットワークのための前記タイミングアドバンス構成を定義するための手段と、
前記無線アクセスネットワークと通信しているユーザ機器（ＵＥ）のための前記タイミングアドバンス構成と一致するタイミングアドバンスパラメータを決定するための手段と、
前記ＵＥに関係する初期アクセス手順の間に、または前記ＵＥが前記無線アクセスネットワーク内で接続状態にある間に、前記ＵＥに前記タイミングアドバンスパラメータを送信するための手段と
を備える、装置。
【請求項１７】
前記タイミングアドバンス構成を前記定義するための手段は、
前記無線アクセスネットワークのために定義された１つまたは複数のサブキャリア間隔のためのタイミングアドバンスステップサイズを構成することに適合される、
請求項１６に記載の装置。
【請求項１８】
前記タイミングアドバンス構成を前記定義するための手段は、
前記無線アクセスネットワークのために定義されたすべてのサブキャリア間隔のためのタイミングアドバンスステップサイズを構成することに適合される、
請求項１６に記載の装置。
【請求項１９】
前記無線アクセスネットワークのためにサブキャリア間隔のグループが定義され、前記タイミングアドバンス構成を前記定義するための手段は、
前記サブキャリア間隔のグループ内のサブキャリア間隔のためのタイミングアドバンスステップサイズを構成することに適合される、
請求項１６に記載の装置。
【請求項２０】
前記無線アクセスネットワークのためにサイクリックプレフィックス長のグループが定義され、前記タイミングアドバンス構成を前記定義するための手段は、
サイクリックプレフィックス長の前記グループ内のサイクリックプレフィックス長ごとにタイミングアドバンスステップサイズを構成することに適合される、
請求項１６に記載の装置。
【請求項２１】
前記タイミングアドバンス構成を前記定義するための手段は、
前記無線アクセスネットワークのために定義された１つまたは複数のサブキャリア間隔のためのタイミングアドバンスステップサイズに基づいて、前記タイミングアドバンスパラメータ内で前記ＵＥに送信されるタイミングアドバンス持続時間を表すために使用されるビット数を構成することに適合される、
請求項１６に記載の装置。
【請求項２２】
前記タイミングアドバンス構成を前記定義するための手段は、
前記無線アクセスネットワークのために定義された１つまたは複数のサブキャリア間隔のためのタイミングアドバンスステップサイズを構成することに適合され、
前記タイミングアドバンスステップサイズ、および前記タイミングアドバンス持続時間を表すために使用される前記ビット数は、最大タイミングアドバンス持続時間、または所望のタイミングアドバンス粒度を有する前記無線アクセスネットワークの範囲を取得するために選択される、
請求項２１に記載の装置。
【請求項２３】
前記タイミングアドバンス構成を前記定義するための手段は、
前記無線アクセスネットワークのために定義された１つまたは複数のサブキャリア間隔のためのタイミングアドバンスステップサイズを構成することに適合され、
前記タイミングアドバンスステップサイズ、および前記タイミングアドバンス持続時間を表すために使用される前記ビット数は、ハイブリッド自動再送要求（ＨＡＲＱ）のための前記無線アクセスネットワークによって定義された最大タイミングアドバンス持続時間を取得するために選択される、
請求項２１に記載の装置。
【請求項２４】
前記タイミングアドバンス構成を前記定義するための手段は、
前記ＵＥが拡張モバイルブロードバンド（ｅＭＢＢ）のＵＥとして動作するように構成されるときのタイミングアドバンス持続時間を表すために使用される第１のビット数を構成することと、
前記ＵＥが超高信頼低遅延通信（ＵＲＬＬＣ）のＵＥとして動作するように構成されるときの前記タイミングアドバンス持続時間を表すために使用される第２のビット数を構成することと
に適合される、請求項１６に記載の装置。
【請求項２５】
前記タイミングアドバンス構成を前記定義するための手段は、
前記ＵＥが拡張モバイルブロードバンド（ｅＭＢＢ）のＵＥとして動作するように構成されるときの第１のタイミングアドバンスステップサイズを構成することと、
前記ＵＥが超高信頼低遅延通信（ＵＲＬＬＣ）のＵＥとして動作するように構成されるときの第２のタイミングアドバンスステップサイズを構成することと
に適合される、請求項１６に記載の装置。
【請求項２６】
前記タイミングアドバンス構成を前記定義するための手段は、
前記無線アクセスネットワークによって使用される周波数範囲に基づいて、サブキャリア間隔のための１つまたは複数のタイミングアドバンスステップサイズを構成することに適合され、前記無線アクセスネットワークは、サブ６周波数およびミリメートル波に関連付けられた帯域幅を使用するように構成可能である、
請求項１６に記載の装置。
【請求項２７】
ワイヤレス通信のための装置であって、
少なくとも１つのプロセッサと、
前記少なくとも１つのプロセッサに通信可能に結合されたトランシーバと、
前記少なくとも１つのプロセッサに通信可能に結合されたメモリと
を備え、前記少なくとも１つは、
スケーラブルな数秘学を有する変調方式を利用する無線アクセスネットワークのためのタイミングアドバンス構成を定義すること、ここにおいて、前記タイミングアドバンス構成は、前記無線アクセスネットワークによって使用される数秘学に適応するように定義される、と、
前記無線アクセスネットワークと通信しているユーザ機器（ＵＥ）のための前記タイミングアドバンス構成と一致するタイミングアドバンスパラメータを決定することと、
前記ＵＥに関係する初期アクセス手順の間に、または前記ＵＥが前記無線アクセスネットワーク内で接続状態にある間に、前記ＵＥに前記タイミングアドバンスパラメータを送信することと
を行うように構成される、装置。
【請求項２８】
前記無線アクセスネットワークのためにサイクリックプレフィックス長のグループが定義され、前記少なくとも１つのプロセッサは、
サイクリックプレフィックス長の前記グループ内のサイクリックプレフィックス長ごとにタイミングアドバンスステップサイズを構成することを行うように構成される、
請求項２７に記載の装置。
【請求項２９】
前記少なくとも１つのプロセッサは、
前記無線アクセスネットワークのために定義された１つまたは複数のサブキャリア間隔のためのタイミングアドバンスステップサイズを構成することを行うように構成され、
前記タイミングアドバンスステップサイズ、およびタイミングアドバンス持続時間を表すために使用されるビット数は、最大タイミングアドバンス持続時間、または所望のタイミングアドバンス粒度を有する前記無線アクセスネットワークの範囲を取得するために選択される、
請求項２７に記載の装置。
【請求項３０】
コンピュータ実行可能コードを記憶するコンピュータ可読媒体であって、
スケーラブルな数秘学を有する変調方式を利用する無線アクセスネットワークのためのタイミングアドバンス構成を定義すること、ここにおいて、前記タイミングアドバンス構成は、前記無線アクセスネットワークによって使用される数秘学に適応するように定義される、と、
前記無線アクセスネットワークと通信しているユーザ機器（ＵＥ）のための前記タイミングアドバンス構成と一致するタイミングアドバンスパラメータを決定することと、
前記ＵＥに関係する初期アクセス手順の間に、または前記ＵＥが前記無線アクセスネットワーク内で接続状態にある間に、前記ＵＥに前記タイミングアドバンスパラメータを送信することと
をコンピュータに行わせるためのコードを備える、コンピュータ可読媒体。
【発明の詳細な説明】
【関連出願の相互参照】
【０００１】
[0001]本出願は、その全体が以下に完全に記載されるかのように、すべての適用可能な目的のために、本出願の内容全体が参照により本明細書に組み込まれる、２０１７年６月２日に米国特許庁に出願された米国仮特許出願第６２／５１４，５８４号、および２０１８年５月３１日に米国特許庁に出願された米国非仮特許出願第１５／９９４，９４２号の優先権および利益を主張する。
【技術分野】
【０００２】
[0002]以下で説明される技術は、一般に、ワイヤレス通信システムに関し、より詳細には、無線アクセスネットワークにおいて送信のタイミングを制御することに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することにより、複数のユーザとの通信をサポートすることが可能な多元接続技術を利用することができる。これらの多元接続技術は、様々なワイヤレスデバイスが都市、国家、地域、さらには地球規模で通信することを可能にする共通プロトコルを提供するために、様々な電気通信規格において採用されている。
【０００４】
[0004]たとえば、第５世代（５Ｇ）新無線（ＮＲ）通信技術は、現行のモバイルネットワーク世代に対して多様な使用シナリオおよび用途を拡張しサポートするものと想定される。一態様では、５Ｇ通信技術は、マルチメディアのコンテンツ、サービス、およびデータにアクセスするための人間中心使用事例に対処する拡張モバイルブロードバンドと、特に待ち時間および信頼性に関する要件が厳しい超高信頼低遅延通信（ＵＲＬＬＣ）と、かなり多数の接続デバイス向けの、通常、比較的少量の非遅延機密情報を送信する大量のマシンタイプ通信とを含む。
【０００５】
[0005]ワイヤレス通信ネットワークは、異なる能力を有する様々なタイプのデバイス向けのさらに広い範囲のサービスを提供しサポートするために利用されている。一部のデバイスは通信チャネルの利用可能な帯域幅内で動作することができるが、ＮＲ接続技術を利用するデバイス内のアップリンク制御チャネルに対する要件は、従来のネットワーク実装形態では満たされないかまたは達成できない可能性がある。
【０００６】
[0006]モバイルブロードバンドアクセスに対する需要が増加し続けるにつれて、研究開発は、モバイルブロードバンドアクセスに対する増大する需要を満たすだけでなく、モバイル通信によるユーザエクスペリエンスを進歩および向上させるワイヤレス通信技術を進歩させ続けている。
【発明の概要】
【０００７】
[0007]以下で、本開示の１つまたは複数の態様の基本的理解を与えるために、そのような態様の簡略化された概要を提示する。この概要は、本開示のすべての考察された特徴の包括的な概説ではなく、本開示のすべての態様の主要または重要な要素を識別するものでも、本開示のいずれかまたはすべての態様の範囲を定めるものでもない。その唯一の目的は、後に提示されるより詳細な説明の前置きとして、本開示の１つまたは複数の態様のいくつかの概念を簡略化された形で提示することである。
【０００８】
[0008]一例では、無線アクセスネットワークにおけるタイミングアドバンスのための方法が開示される。方法は、スケーラブルな数秘学を有する変調方式を利用する無線アクセスネットワークのためのタイミングアドバンス構成を定義することと、無線アクセスネットワークと通信しているユーザ機器（ＵＥ）のためのタイミングアドバンス構成と一致するタイミングアドバンスパラメータを決定することと、ＵＥに関係する初期アクセス手順の間に、またはＵＥが無線アクセスネットワーク内で接続状態にある間に、ＵＥにタイミングアドバンスパラメータを送信することとを含む。タイミングアドバンス構成は、無線アクセスネットワークによって使用される数秘学に適応するように定義されてよい。
【０００９】
[0009]タイミングアドバンス構成を定義することは、無線アクセスネットワークのために定義された１つまたは複数のサブキャリア間隔のためのタイミングアドバンスステップサイズを構成することを含んでよい。タイミングアドバンス構成を定義することは、無線アクセスネットワークのために定義されたすべてのサブキャリア間隔のためのタイミングアドバンスステップサイズを構成することを含んでよい。
【００１０】
[0010]場合によっては、無線アクセスネットワークのためにサブキャリア間隔のグループが定義され、タイミングアドバンス構成を定義することは、サブキャリア間隔のグループ内のサブキャリア間隔のためのタイミングアドバンスステップサイズを構成することを含んでよい。サブキャリア間隔のグループは、１５ｋＨｚ、３０ｋＨｚ、および６０ｋＨｚのサブキャリア間隔を含んでよい。サブキャリア間隔のグループは、１２０ｋＨｚおよび２４０ｋＨｚのサブキャリア間隔を含んでよい。
【００１１】
[0011]タイミングアドバンス構成を定義することは、タイミングアドバンスパラメータ内でＵＥに送信されるタイミングアドバンス持続時間を表すために使用されるビット数を構成することを含んでよい。タイミングアドバンス構成を定義することは、無線アクセスネットワークのために定義された１つまたは複数のサブキャリア間隔のためのタイミングアドバンスステップサイズを構成することを含んでよい。タイミングアドバンスステップサイズ、およびタイミングアドバンス値を表すために使用されるビット数は、最大タイミングアドバンス持続時間、または所望のタイミングアドバンス粒度を有する無線アクセスネットワークの範囲を取得するために選択される。所望のタイミングアドバンス粒度は、ハイブリッド自動再送要求（ＨＡＲＱ）タイミングによって決定される。タイミングアドバンス構成を定義することは、無線アクセスネットワークのために定義された１つまたは複数のサブキャリア間隔のためのタイミングアドバンスステップサイズを構成することを含んでよい。タイミングアドバンスステップサイズ、およびタイミングアドバンス値を表すために使用されるビット数は、ＨＡＲＱのための無線アクセスネットワークによって定義された最大タイミングアドバンス持続時間を取得するために選択される。
【００１２】
[0012]タイミングアドバンス構成を定義することは、無線アクセスネットワークのために定義された１つまたは複数のサブキャリア間隔のためのタイミングアドバンスステップサイズに基づいて、タイミングアドバンス持続時間を表すために使用されるビット数を構成することを含んでよい。
【００１３】
[0013]タイミングアドバンス構成を定義することは、ＵＥが拡張モバイルブロードバンド（ｅＭＢＢ）のＵＥとして動作するように構成されるときのタイミングアドバンス持続時間を表すために使用される第１のビット数を構成することと、ＵＥが超高信頼低遅延通信（ＵＲＬＬＣ）のＵＥとして動作するように構成されるときのタイミングアドバンス持続時間を表すために使用される第２のビット数を構成することとを含んでよい。
【００１４】
[0014]タイミングアドバンス構成を定義することは、ＵＥがｅＭＢＢのＵＥとして動作するように構成されるときの第１のタイミングアドバンスステップサイズを構成することと、ＵＥがＵＲＬＬＣのＵＥとして動作するように構成されるときの第２のタイミングアドバンスステップサイズを構成することとを含んでよい。
【００１５】
[0015]タイミングアドバンス構成を定義することは、無線アクセスネットワークによって使用される周波数範囲に基づいて、サブキャリア間隔のための１つまたは複数のタイミングアドバンスステップサイズを構成することを含んでよい。無線アクセスネットワークは、サブ６ＧＨｚ周波数およびミリメートル波長に関連付けられた帯域幅を使用するように構成可能であってよい。
【００１６】
[0016]別の例では、ワイヤレス通信のための装置は、スケーラブルな数秘学を有する変調方式を利用する無線アクセスネットワークのためのタイミングアドバンス構成を定義するための手段と、無線アクセスネットワークと通信しているＵＥのためのタイミングアドバンス構成と一致するタイミングアドバンスパラメータを決定するための手段と、ＵＥに関係する初期アクセス手順の間に、またはＵＥが無線アクセスネットワーク内で接続状態にある間に、ＵＥにタイミングアドバンスパラメータを送信することとを含む。タイミングアドバンス構成は、無線アクセスネットワークによって使用される数秘学に適応するように定義されてよい。
【００１７】
[0017]別の例では、ワイヤレス通信のための装置は、無線アクセスネットワークによって使用される数秘学に適応するようにタイミングアドバンス構成を定義することに適合された、スケーラブルな数秘学を有する変調方式を利用する無線アクセスネットワークのためのタイミングアドバンス構成を定義するための手段と、無線アクセスネットワークと通信しているＵＥのためのタイミングアドバンス構成と一致するタイミングアドバンスパラメータを決定するための手段と、ＵＥに関係する初期アクセス手順の間に、またはＵＥが無線アクセスネットワーク内で接続状態にある間に、ＵＥにタイミングアドバンスパラメータを送信するための手段とを含む。
【００１８】
[0018]タイミングアドバンス構成を定義するための手段は、無線アクセスネットワークのために定義された１つまたは複数のサブキャリア間隔のためのタイミングアドバンスステップサイズを構成することに適合されてよい。タイミングアドバンス構成を定義するための手段は、無線アクセスネットワークのために定義されたすべてのサブキャリア間隔のためのタイミングアドバンスステップサイズを構成することに適合されてよい。
【００１９】
[0019]場合によっては、無線アクセスネットワークのためにサブキャリア間隔のグループが定義され、タイミングアドバンス構成を定義するための手段は、サブキャリア間隔のグループ内のサブキャリア間隔のためのタイミングアドバンスステップサイズを構成することに適合されてよい。タイミングアドバンス構成を定義するための手段は、サブキャリア間隔のグループ内のサブキャリア間隔ごとにサイクリックプレフィックス長を構成することに適合されてよい。
【００２０】
[0020]タイミングアドバンス構成を定義するための手段は、無線アクセスネットワークのために定義された１つまたは複数のサブキャリア間隔のためのタイミングアドバンスステップサイズに基づいて、タイミングアドバンスパラメータ内のＵＥに送信されるタイミングアドバンス持続時間を表すために使用されるビット数を構成することができる。タイミングアドバンス構成を定義するための手段は、無線アクセスネットワークのために定義された１つまたは複数のサブキャリア間隔のためのタイミングアドバンスステップサイズを構成することができる。タイミングアドバンスステップサイズ、およびタイミングアドバンス持続時間を表すために使用されるビット数は、最大タイミングアドバンス持続時間、または所望のタイミングアドバンス粒度を有する無線アクセスネットワークの範囲を取得するために選択されてよい。タイミングアドバンス構成を定義するための手段は、無線アクセスネットワークのために定義された１つまたは複数のサブキャリア間隔のためのタイミングアドバンスステップサイズを構成することに適合されてよい。タイミングアドバンスステップサイズ、およびタイミングアドバンス持続時間を表すために使用されるビット数は、ＨＡＲＱのための無線アクセスネットワークによって定義された最大タイミングアドバンス持続時間を取得するために選択されてよい。
【００２１】
[0021]いくつかの実装形態では、タイミングアドバンス構成を定義するための手段は、ＵＥがｅＭＢＢのＵＥとして動作するように構成されるときのタイミングアドバンス持続時間を表すために使用される第１のビット数を構成することと、ＵＥがＵＲＬＬＣのＵＥとして動作するように構成されるときのタイミングアドバンス持続時間を表すために使用される第２のビット数を構成することとに適合されてよい。タイミングアドバンス構成を定義するための手段は、ＵＥがｅＭＢＢのＵＥとして動作するように構成されるときの第１のタイミングアドバンスステップサイズを構成することと、ＵＥがＵＲＬＬＣのＵＥとして動作するように構成されるときの第２のタイミングアドバンスステップサイズを構成することとに適合されてよい。タイミングアドバンス構成を定義するための手段は、無線アクセスネットワークによって使用される周波数範囲に基づいて、サブキャリア間隔のための１つまたは複数のタイミングアドバンスステップサイズを構成することに適合されてよい。無線アクセスネットワークは、サブ６ＧＨｚ周波数およびミリメートル波長に関連付けられた帯域幅を使用するように構成可能であってよい。
【００２２】
[0022]別の例では、ワイヤレス通信のための装置は、プロセッサと、少なくとも１つのプロセッサに通信可能に結合されたトランシーバと、少なくとも１つのプロセッサに通信可能に結合されたメモリとを有する。プロセッサは、スケーラブルな数秘学を有する変調方式を利用する無線アクセスネットワークのためのタイミングアドバンス構成を定義することと、無線アクセスネットワークと通信しているＵＥのためのタイミングアドバンス構成と一致するタイミングアドバンスパラメータを決定することと、ＵＥに関係する初期アクセス手順の間に、またはＵＥが無線アクセスネットワーク内で接続状態にある間に、ＵＥにタイミングアドバンスパラメータを送信することとを行うように構成されてよい。タイミングアドバンス構成は、無線アクセスネットワークによって使用される数秘学に適応するように定義される。
【００２３】
[0023]無線アクセスネットワークのためにサブキャリア間隔のグループが定義され、プロセッサは、サブキャリア間隔のグループ内のサブキャリア間隔のためのタイミングアドバンスステップサイズを構成するように構成されてよい。プロセッサは、無線アクセスネットワークのために定義された１つまたは複数のサブキャリア間隔のためのタイミングアドバンスステップサイズを構成するように構成されてよい。タイミングアドバンスステップサイズ、およびタイミングアドバンス持続時間を表すために使用されるビット数は、最大タイミングアドバンス持続時間、または所望のタイミングアドバンス粒度を有する無線アクセスネットワークの範囲を取得するために選択されてよい。
【００２４】
[0024]別の例では、コンピュータ可読媒体がコンピュータ実行可能コードを記憶する。コードは、スケーラブルな数秘学を有する変調方式を利用する無線アクセスネットワークのためのタイミングアドバンス構成を定義することと、無線アクセスネットワークと通信しているＵＥのためのタイミングアドバンス構成と一致するタイミングアドバンスパラメータを決定することと、ＵＥに関係する初期アクセス手順の間に、またはＵＥが無線アクセスネットワーク内で接続状態にある間に、ＵＥにタイミングアドバンスパラメータを送信することとをコンピュータに行わせることができる。タイミングアドバンス構成は、無線アクセスネットワークによって使用される数秘学に適応するように定義されてよい。
【００２５】
[0025]本発明のこれらおよび他の態様は、以下の発明を実施するための形態を検討すればより十分に理解されよう。本発明の特定の例示的な実施形態の以下の説明を添付の図と併せて検討すれば、当業者は本発明の他の態様、特徴、および実施形態が明らかになろう。本発明の特徴が、以下のいくつかの実施形態および図に関連して説明され得るが、本発明のすべての実施形態は、本明細書で説明される有利な特徴のうちの１つまたは複数を含むことができる。言い換えれば、１つまたは複数の実施形態がいくつかの有利な特徴を有するものとして説明され得るが、そのような特徴のうちの１つまたは複数は、本明細書で説明される本発明の様々な実施形態に従って使用されてもよい。同様に、例示的な実施形態がデバイス、システム、または方法の実施形態として以下で説明され得るが、そのような例示的な実施形態は、様々なデバイス、システム、および方法に実装され得ることが理解されるべきである。
【図面の簡単な説明】
【００２６】
【図１】[0026]無線アクセスネットワークの一例の概念図。
【図２】[0027]ワイヤレス通信システムの簡略図。
【図３】[0028]多入力多出力（ＭＩＭＯ）通信をサポートするワイヤレス通信システムを示すブロック図。
【図４】[0029]直交周波数分割多重化（ＯＦＤＭ）を利用するインターフェース内のワイヤレスリソースの編成の概略図。
【図５】[0030]公称の数秘学およびスケール変更された数秘学を有するリソースブロックを示す図。
【図６】[0031]本開示のいくつかの態様による、例示的な自己完結型スロットの概略図。
【図７】[0032]本開示のいくつかの態様による、適合され得る無線アクセスネットワーク内の伝搬遅延を示す図。
【図８】[0033]本開示のいくつかの態様による、スケジューリングエンティティのためのハードウェア実装形態の一例を概念的に示すブロック図。
【図９】[0034]本開示のいくつかの態様による、スケジュール対象エンティティのためのハードウェア実装形態の一例を概念的に示すブロック図。
【図１０】[0035]本開示のいくつかの態様によるプロセスを示すフローチャート。
【発明を実施するための形態】
【００２７】
[0036]添付の図面に関して以下に記載される発明を実施するための形態は、様々な構成の説明として意図され、本明細書に記載される概念が実践され得る構成のみを表すように意図されていない。発明を実施するための形態は、様々な概念を完全に理解する目的で具体的な詳細を含む。しかしながら、これらの概念はこれらの具体的な詳細なしに実践され得ることは当業者には明らかであろう。場合によっては、そのような概念を不明瞭にすることを回避するために、よく知られている構造および構成要素がブロック図の形式で示される。
【００２８】
[0037]本開示の態様は、無線アクセスネットワーク内でタイミングアドバンスを構成することを可能にするかまたはサポートする通信システム、装置、および方法に関する。タイミングアドバンス構成は、スケーラブルな数秘学を有する変調方式を利用する無線アクセスネットワークのために定義されてよい。タイミングアドバンス構成と一致するタイミングアドバンスパラメータは、無線アクセスネットワークと通信しているＵＥのために構成されてよい。タイミングアドバンスパラメータは、ＵＥに関係する初期アクセス手順の間に、またはＵＥが無線アクセスネットワーク内で接続状態にある間に、ＵＥに送信されてよい。タイミングアドバンス構成は、無線アクセスネットワークによって使用される数秘学に適応するように定義されてよい。
【００２９】
[0038]本開示全体にわたって提示される様々な概念は、多種多様な電気通信システム、ネットワークアーキテクチャ、および通信規格にわたって実装されてよい。次に図１を参照すると、限定はしないが例示的な例として、無線アクセスネットワーク１００の概略図が提供される。
【００３０】
[0039]無線アクセスネットワーク１００によってカバーされる地理的領域は、１つのアクセスポイントまたは基地局から地理的領域にわたってブロードキャストされた識別情報に基づいて、ユーザ機器（ＵＥ）によって一意に識別され得るいくつかのセル領域（セル）に分割されてよい。図１は、マクロセル１０２、１０４、および１０６、ならびにスマートセル１０８を示し、それらの各々は１つまたは複数のセクタを含んでよい。セクタはセルのサブエリアである。１つのセル内のすべてのセクタは、同じ基地局によってサービスされる。セクタ内の無線リンクは、そのセクタに属する単一の論理識別情報によって識別することができる。セクタに分割されたセルでは、セル内の複数のセクタはアンテナのグループによって形成することができ、各アンテナはセルの一部分におけるＵＥとの通信に関与する。
【００３１】
[0040]一般に、基地局（ＢＳ）は各セルにサービスする。大まかに、基地局は、ＵＥとの間の１つまたは複数のセル内の無線送受信に関与する無線アクセスネットワーク内のネットワーク要素である。ＢＳは、当業者により、基地トランシーバ局（ＢＴＳ）、無線基地局、無線トランシーバ、トランシーバ機能、基本サービスセット（ＢＳＳ）、拡張サービスセット（ＥＳＳ）、アクセスポイント（ＡＰ）、ノードＢ（ＮＢ）、ｅノードＢ（ｅＮＢ）、ｇノードＢ（ｇＮＢ）、または何らかの他の適切な用語で呼ばれる場合もある。
【００３２】
[0041]図１では、２つの高出力基地局１１０および１１２がセル１０２および１０４において示され、第３の高出力基地局１１４がセル１０６内のリモート無線ヘッド（ＲＲＨ）１１６を制御するように示される。すなわち、基地局は集積アンテナを有することができるか、またはフィーダケーブルによってアンテナもしくはＲＲＨに接続することができる。図示された例では、セル１０２、１０４、および１０６は、高出力基地局１１０、１１２、および１１４が大きいサイズのセルをサポートするので、マクロセルと呼ばれる場合がある。さらに、低出力基地局１１８がスモールセル１０８（たとえば、マイクロセル、ピコセル、フェムトセル、ホーム基地局、ホームノードＢ、ホームｅノードＢなど）において示され、スモールセル１０８は１つまたは複数のマクロセルと重複する場合がある。この例では、セル１０８は、低出力基地局１１８が比較的サイズが小さいセルをサポートするので、スモールセルと呼ばれる場合がある。セルのサイズ決定は、システム設計ならびに構成要素の制約に従って行うことができる。無線アクセスネットワーク１００は、任意の数のワイヤレス基地局とセルとを含んでもよいことを理解されたい。さらに、所与のセルのサイズまたはカバレージを拡大するために、リレーノードが展開されてよい。基地局１１０、１１２、１１４、１１８は、任意の数のモバイル装置にコアネットワークへのワイヤレスアクセスポイントを提供する。
【００３３】
[0042]図１は、基地局として機能するように構成され得るクワッドコプタまたはドローン１２０をさらに含む。すなわち、いくつかの例では、セルは必ずしも固定式とは限らない場合があり、セルの地理的エリアは、クワッドコプタ１２０などのモバイル基地局の位置に従って移動する可能性がある。
【００３４】
[0043]一般に、基地局は、ネットワークのバックホール部分と通信するためのバックホールインターフェースを含んでよい。バックホールは基地局とコアネットワークとの間のリンクを実現することができ、いくつかの例では、バックホールはそれぞれの基地局間の相互接続を実現することができる。コアネットワークは、無線アクセスネットワークにおいて使用される無線アクセス技術とは全体的に無関係のワイヤレス通信システムの一部である。任意の適切なトランスポートネットワークを使用して、直接物理接続、仮想ネットワークなどの様々なタイプのバックホールインターフェースが利用されてよい。いくつかの基地局は、アクセスリンク（すなわち、ＵＥとのワイヤレスリンク）とバックホールリンクの両方にワイヤレススペクトルが使用され得る、統合アクセスおよびバックホール（ＩＡＢ）ノードとして構成されてよい。この方式は、ワイヤレスセルフバックホーリングと呼ばれることがある。各々の新しい基地局がそれ自体の有線バックホール接続を装備することを必要とするのではなく、ワイヤレスセルフバックホーリングを使用することにより、基地局とＵＥとの間の通信に利用されるワイヤレススペクトルは、バックホール通信に活用されてよく、高密度スモールセルネットワークの高速で容易な展開を可能にする。
【００３５】
[0044]無線アクセスネットワーク１００は、複数のモバイル装置のためのワイヤレス通信をサポートするように図示されている。モバイル装置は、第３世代パートナーシッププロジェクト（３ＧＰＰ（登録商標））によって広められた規格および仕様では、通常、ユーザ機器（ＵＥ）と呼ばれるが、当業者により、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の適切な用語で呼ばれる場合もある。ＵＥは、ネットワークサービスへのアクセスをユーザに提供する装置であってよい。
【００３６】
[0045]本文書内で、「モバイル」装置は、必ずしも移動する能力を有する必要があるとは限らず、固定されていてもよい。モバイル装置またはモバイルデバイスという用語は、大まかに、多種多様なデバイスおよび技術を指す。たとえば、モバイル装置のいくつかの非限定的な例には、モバイルフォン、セルラー（セル）フォン、スマートフォン、セッション開始プロトコル（ＳＩＰ）フォン、ラップトップ、パーソナルコンピュータ（ＰＣ）、ノートブック、ネットブック、スマートブック、タブレット、携帯情報端末（ＰＤＡ）、および、たとえば、「モノのインターネット」（ＩｏＴ）に対応する広範囲の組込みシステムが含まれる。モバイル装置は、さらに、自動車または他の輸送車両、リモートセンサまたはアクチュエータ、ロボットまたはロボティクスデバイス、衛星無線、全地球測位システム（ＧＰＳ）デバイス、物体追跡デバイス、ドローン、マルチコプタ、クアッドコプタ、リモート制御デバイス、アイウェア、ウェアラブルカメラ、仮想現実デバイス、スマートウォッチ、ヘルストラッカまたはフィットネストラッカ、デジタルオーディオプレーヤ（たとえば、ＭＰ３プレーヤ）、カメラ、ゲームコンソールなどのコンシューマデバイスおよび／またはウェアラブルデバイスであってよい。モバイル装置は、さらに、ホームオーディオデバイス、ホームビデオデバイス、および／またはホームマルチメディアデバイスなどのデジタルホームデバイスまたはスマートホームデバイス、アプライアンス、自動販売機、インテリジェント照明、ホームセキュリティシステム、スマートメータなどであってよい。モバイル装置は、さらに、スマートエネルギーデバイス、セキュリティデバイス、ソーラーパネルまたはソーラーアレイ、電力（たとえば、スマートグリッド）、照明、水などを制御する都市基盤デバイス、工業オートメーションおよびエンターブライズデバイス、ロジスティックスコントローラ、農業機器、軍用防衛機器、車両、飛行機、船舶、ならびに兵器であってよい。またさらに、モバイル装置は、コネクテッド医療または遠隔医療のサポート、すなわち、遠隔ヘルスケアを実現することができる。遠隔医療デバイスは遠隔医療監視デバイスと遠隔医療投与デバイスとを含んでよく、それらの通信は、たとえば、重要サービスデータの移送のための優先アクセス、および／または重要サービスデータの移送のための関連ＱｏＳに関して、他のタイプの情報と比較して優遇措置または優先アクセスを与えられてよい。
【００３７】
[0046]無線アクセスネットワーク１００内で、セルは、各セルの１つまたは複数のセクタと通信することができるＵＥを含んでよい。たとえば、ＵＥ１２２および１２４は基地局１１０と通信することができ、ＵＥ１２６および１２８は基地局１１２と通信することができ、ＵＥ１３０および１３２はＲＲＨ１１６経由で基地局１１４と通信することができ、ＵＥ１３４は低電力基地局１１８と通信することができ、ＵＥ１３６はモバイル基地局１２０と通信することができる。各基地局１１０、１１２、１１４、１１８、および１２０は、それぞれのセル内のすべてのＵＥにコアネットワーク（図示せず）へのアクセスポイントを提供するように構成されてよい。基地局（たとえば、基地局１１０）から１つまたは複数のＵＥ（たとえば、ＵＥ１２２および１２４）への送信は、ダウンリンク（ＤＬ）送信と呼ばれる場合があり、ＵＥ（たとえば、ＵＥ１２２）から基地局への送信は、アップリンク（ＵＬ）送信と呼ばれる場合がある。本開示のいくつかの態様によれば、ダウンリンクという用語は、スケジューリングエンティティ（たとえば、コアネットワーク２０２）において発生するポイントツーマルチポイント送信を指すことができる。この方式を記述する別の方法は、ブロードキャストチャネル多重化という用語を使用することであり得る。本開示のさらなる態様によれば、アップリンクという用語は、スケジュール対象エンティティにおいて発生するポイントツーポイント送信を指すことができる。
【００３８】
[0047]いくつかの例では、モバイルネットワークノード（たとえば、クワッドコプタ１２０）は、ＵＥとして機能するように構成されてよい。たとえば、クワッドコプタ１２０は、基地局１１０と通信することにより、セル１０２内で動作することができる。本開示のいくつかの態様では、２つ以上のＵＥ（たとえば、ＵＥ１２６および１２８）は、基地局（たとえば、基地局１１２）を介するその通信を中継することなく、ピアツーピア（Ｐ２Ｐ）またはサイドリンク信号１２７を使用して、互いに通信することができる。サイドリンク信号１２７は、サイドリンクトラフィックとサイドリンク制御情報とを含んでよい。サイドリンク制御情報は、いくつかの例では、送信要求（ＲＴＳ）、ソース送信信号（ＲＴＳ）、および／または方向選択信号（ＤＳＳ）などの要求信号を含んでよい。要求信号は、スケジュール対象エンティティ（たとえば、ＵＥ１２６および１２８）がサイドリンク信号１２７に利用可能なサイドリンクチャネルを保持するために時間の継続を要求することを実現することができる。サイドリンク制御情報は、送信可（ＣＴＳ）および／または宛先受信信号（ＤＲＳ）などの応答信号をさらに含んでよい。応答信号は、ＵＥ１２６、１２８が、たとえば、要求された時間の継続のために、サイドリンクチャネルの可用性を示すことを実現することができる。要求信号と応答信号の交換（たとえば、ハンドシェイク）は、様々なスケジュール対象エンティティが、サイドリンクトラフィック情報の通信より前にサイドリンクチャネルの利用可能性を交渉するためにサイドリング通信を実行することを可能にすることができる。
【００３９】
[0048]無線アクセスネットワーク１００では、ＵＥが、その場所に関係なく、移動している間に通信するための能力は、モビリティと呼ばれる。ＵＥと無線アクセスネットワークとの間の様々な物理チャネルは、一般に、モビリティ管理エンティティ（ＭＭＥ）の制御下でセットアップされ、維持され、解放される。本開示の様々な態様では、無線アクセスネットワーク１００は、モビリティおよびハンドオーバ（すなわち、１つの無線チャネルから別の無線チャネルへのＵＥの接続の移行）を可能にするために、ＤＬベースのモビリティまたはＵＬベースのモビリティを利用することができる。ＤＬベースのモビリティ用に構成されたネットワークでは、スケジューリングエンティティとの呼の間に、または任意の他の時間に、ＵＥは、そのサービングセルからの信号の様々なパラメータ、ならびに隣接セルの様々なパラメータを監視することができる。これらのパラメータの品質に応じて、ＵＥは隣接セルのうちの１つまたは複数との通信を維持することができる。この時間の間に、ＵＥが１つのセルから別のセルに移動する場合、または隣接セルからの信号品質がサービングセルからの信号品質を所与の時間の間超える場合、ＵＥは、サービングセルから隣接（ターゲット）セルへのハンドオフまたはハンドオーバを引き受けることができる。たとえば、（任意の適切な形態のＵＥが使用されてよいが、車両として示されている）ＵＥ１２４は、そのサービングセル１０２に対応する地理的エリアから隣接セル１０６に対応する地理的エリアに移動することができる。隣接セル１０６からの信号強度または信号品質がそのサービングセル１０２の信号強度または信号品質を所与の時間の間超えるとき、ＵＥ１２４は、この状態を示す報告メッセージをそのサービング基地局１１０に送信することができる。それに応答して、ＵＥ１２４はハンドオーバコマンドを受信することができ、ＵＥはセル１０６へのハンドオーバを受けることができる。
【００４０】
[0049]ＵＬベースのモビリティ用に構成されたネットワークでは、ＵＥごとのサービングセルを選択するために、各ＵＥからの基準信号がネットワークによって利用されてよい。いくつかの例では、基地局１１０、１１２、および１１４／１１６は、統合された同期信号（たとえば、統合された一次同期信号（ＰＳＳ）、統合された二次同期信号（ＳＳＳ）、および統合された物理ブロードキャストチャネル（ＰＢＣＨ））をブロードキャストすることができる。ＵＥ１２２、１２４、１２６、１２８、１３０、および１３２は、統合された同期信号を受信し、同期信号からキャリア周波数とスロットタイミングとを導出し、タイミングの導出に応答して、アップリンクパイロット信号またはアップリンク基準信号を送信することができる。ＵＥ（たとえば、ＵＥ１２４）によって送信されたアップリンクパイロット信号は、無線アクセスネットワーク１００内の２つ以上のセル（たとえば、基地局１１０および１１４／１１６）によって同時に受信される可能性がある。セルの各々はパイロット信号の強度を測定することができ、無線アクセスネットワーク（たとえば、基地局１１０および１１４／１１６のうちの１つもしくは複数、ならびに／またはコアネットワーク内の中央ノード）は、ＵＥ１２４のためのサービングセルを決定することができる。ＵＥ１２４が無線アクセスネットワーク１００の中を移動するにつれて、ネットワークはＵＥ１２４によって送信されたアップリンクパイロット信号を監視し続けることができる。隣接セルによって測定されたパイロット信号の信号強度または信号品質が、サービングセルによって測定された信号強度または信号品質のそれを超えるとき、無線アクセスネットワーク１００は、ＵＥ１２４に通知するかしないかにかかわらず、サービングセルから隣接セルにＵＥ１２４をハンドオーバすることができる。
【００４１】
[0050]基地局１１０、１１２、および１１４／１１６によって送信された同期信号は統合されてもよいが、同期信号は特定のセルを識別しなくてもよく、むしろ同じ周波数上および／または同じタイミングで動作する複数のセルのゾーンを識別することができる。５Ｇネットワークまたは他の次世代通信ネットワークにおいてゾーンを使用すると、アップリンクベースのモビリティフレームワークが可能になり、ＵＥとネットワークとの間で交換される必要があるモビリティメッセージの数が削減され得るので、ＵＥとネットワークの両方の効率が改善される。
【００４２】
[0051]様々な実装形態では、無線アクセスネットワーク１００内のエアインターフェースは、認可スペクトル、無認可スペクトル、または共有スペクトルを利用することができる。認可スペクトルは、一般に、モバイルネットワーク事業者が政府規制機関からライセンスを購入することにより、スペクトルの一部分の排他的使用を実現する。無認可スペクトルは、政府認可ライセンスの必要なしに、スペクトルの一部分の共有使用を実現する。一般に、無認可スペクトルにアクセスするために何らかの技術的な規則の遵守がやはり必要であるが、いかなる事業者またはデバイスもアクセスすることができる。共有スペクトルは、認可スペクトルと無認可スペクトルとの間に位置することができ、スペクトルにアクセスするために技術的な規則または制限が必要とされる場合があるが、スペクトルは、やはり複数の事業者および／または複数のＲＡＴによって共有されてよい。たとえば、認可スペクトルの一部分のためのライセンスの保有者は、たとえば、アクセスするための適切なライセンシー決定条件により、そのスペクトルを他の関係者と共有するために認可共有アクセス（ＬＳＡ）を提供することができる。
【００４３】
[0052]いくつかの例では、エアインターフェースへのアクセスがスケジュールされる場合があり、スケジューリングエンティティ（たとえば、基地局）は、そのサービスエリアまたはセル内の一部またはすべてのデバイスおよび機器の間の通信にリソースを割り振る。本開示内で、以下でさらに説明されるように、スケジューリングエンティティは、１つまたは複数のスケジュール対象エンティティのためのリソースをスケジュールし、割り当て、再構成し、解放することに関与することができる。すなわち、スケジュールされた通信の場合、ＵＥまたはスケジュール対象エンティティは、スケジューリングエンティティによって割り振られたリソースを利用する。
【００４４】
[0053]基地局は、スケジューリングエンティティとして機能することができる唯一のエンティティではない。すなわち、いくつかの例では、ＵＥがスケジューリングエンティティとして機能することができ、１つまたは複数のスケジュール対象エンティティ（たとえば、１つまたは複数の他のＵＥ）のためのリソースをスケジュールする。他の例では、サイドリンク信号は、基地局からのスケジューリング情報または制御情報に必ずしも依存することなく、ＵＥ間で使用されてよい。たとえば、ＵＥ１３８は、ＵＥ１４０および１４２と通信するように示されている。いくつかの例では、ＵＥ１３８は、スケジューリングエンティティまたは一次サイドリンクデバイスとして機能しており、ＵＥ１４０および１４２は、スケジュール対象エンティティまたは非一次（たとえば、二次）サイドリンクデバイスとして機能することができる。さらに別の例では、ＵＥ１３８は、デバイス間（Ｄ２Ｄ）ネットワーク、ピアツーピア（Ｐ２Ｐ）ネットワーク、もしくは車両間（Ｖ２Ｖ）ネットワーク、および／またはメッシュネットワークにおいてスケジューリングエンティティとして機能することができる。メッシュネットワークの例では、ＵＥ１４０および１４２は、場合によっては、スケジューリングエンティティとして機能しているＵＥ１３８との通信に加えて、互いに直接通信することができる。
【００４５】
[0054]このように、時間周波数リソースへのアクセスがスケジュールされ、セルラー構成、Ｐ２Ｐ構成、またはメッシュ構成を有するワイヤレス通信ネットワークでは、スケジューリングエンティティおよび１つまたは複数のスケジュール対象エンティティは、スケジュールされたリソースを利用して通信することができる。スケジューリングエンティティは、１つまたは複数のスケジュール対象エンティティにトラフィックをブロードキャストすることができる（トラフィックはダウンリンクトラフィックと呼ばれる場合がある）。大まかに、スケジューリングエンティティは、ダウンリンク送信、およびいくつかの例では、１つまたは複数のスケジュール対象エンティティからスケジューリングエンティティへのアップリンクトラフィックを含む、ワイヤレス通信ネットワーク内のトラフィックをスケジュールすることに関与するノードまたはデバイスである。大まかに、スケジュール対象エンティティは、限定はしないが、スケジューリングエンティティなどのワイヤレス通信ネットワーク内の別のエンティティから、スケジューリング情報（たとえば、認可）、同期もしくはタイミング情報、または他の制御御情報を含む制御情報を受信するノードまたはデバイスである。
【００４６】
[0055]次に図２を参照すると、限定はしないが例示的な例として、ワイヤレス通信システム２００を参照して本開示の種々の態様が示される。ワイヤレス通信システム２００は、３つの対話するドメイン：コアネットワーク２０２と、無線アクセスネットワーク（ＲＡＮ）２０４と、ＵＥ（スケジュール対象エンティティ）２０６とを含む。ワイヤレス通信システム２００により、ＵＥは、（限定はしないが）インターネットなどの外部データネットワーク２１０とのデータ通信を実行することを可能にさせられてよい。
【００４７】
[0056]ＲＡＮ２０４は、ＵＥに無線アクセスを提供するために、１つまたは複数の任意の適切な無線通信技術を実装することができる。一例として、ＲＡＮ２０４は、しばしば５Ｇまたは５Ｇ  ＮＲと呼ばれる、第３世代パートナーシッププロジェクト（３ＧＰＰ）の新無線（ＮＲ）規格に従って動作することができる。別の例として、ＲＡＮ２０４は、５Ｇ  ＮＲ規格と、しばしばＬＴＥ（登録商標）と呼ばれる発展型ユニバーサル地上波無線アクセスネットワーク（ｅＵＴＲＡＮ）規格のハイブリッドの下で動作することができる。３ＧＰＰは、このハイブリッドＲＡＮを次世代ＲＡＮまたはＮＧ−ＲＡＮと呼ぶ。当然、本開示の範囲内で多くの他の例が利用されてよい。
【００４８】
[0057]図示されたように、ＲＡＮ２０４は、１つまたは複数の基地局を含む複数のスケジューリングエンティティ２０８を含む。大まかに、基地局は、ＵＥとの間の１つまたは複数のセル内の無線送受信に関与する無線アクセスネットワーク内のネットワーク要素である。様々な技術、規格、またはコンテキストでは、基地局は、当業者により、基地トランシーバ局（ＢＴＳ）、無線基地局、無線トランシーバ、トランシーバ機能、基本サービスセット（ＢＳＳ）、拡張サービスセット（ＥＳＳ）、アクセスポイント（ＡＰ）、ノードＢ（ＮＢ）、ｅノードＢ（ｅＮＢ）、ｇノードＢ（ｇＮＢ）、または何らかの他の適切な用語で様々に呼ばれる場合がある。
【００４９】
[0058]ＲＡＮ２０４はさらに、複数のモバイル装置のためのワイヤレス通信をサポートするように図示されている。モバイル装置は、３ＧＰＰ規格ではユーザ機器（ＵＥ）と呼ばれる場合があるが、当業者により、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の適切な用語で呼ばれる場合もある。ＵＥは、ネットワークサービスへのアクセスをユーザに提供する装置であってよい。
【００５０】
[0059]ＲＡＮ２０４とＵＥとの間のワイヤレス通信は、エアインターフェースを利用するものとして記載されてよい。スケジューリングエンティティ２０８（たとえば、基地局）から１つまたは複数のスケジュール対象エンティティ２０６（たとえば、１つまたは複数のＵＥ）へのエアインターフェース上の送信は、ダウンリンク（ＤＬ）送信と呼ばれる場合がある。本開示のいくつかの態様によれば、ダウンリンクという用語は、（以下でさらに記載される）スケジューリングエンティティ２０８（たとえば、基地局）において発生するポイントツーマルチポイント送信を指すことができる。この方式を記述する別の方法は、ブロードキャストチャネル多重化という用語を使用することであり得る。スケジュール対象エンティティ２０６（たとえば、ＵＥ）からスケジューリングエンティティ２０８（たとえば、基地局）への送信は、アップリンク（ＵＬ）送信と呼ばれる場合がある。本開示のさらなる態様によれば、アップリンクという用語は、（以下でさらに記載される）スケジュール対象エンティティ２０６（たとえば、ＵＥ）において発生するポイントツーポイント送信を指すことができる。
【００５１】
[0060]いくつかの例では、エアインターフェースへのアクセスがスケジュールされる場合があり、スケジューリングエンティティ２０８（たとえば、基地局）は、そのサービスエリアまたはセル内の一部またはすべてのデバイスおよび機器の間の通信にリソースを割り振る。本開示内で、以下でさらに説明されるように、スケジューリングエンティティは、１つまたは複数のスケジュール対象エンティティのためのリソースをスケジュールし、割り当て、再構成し、解放することに関与することができる。すなわち、スケジュールされた通信の場合、スケジュール対象エンティティ２０６であり得るＵＥは、スケジューリングエンティティによって割り振られたリソースを利用することができる。
【００５２】
[0061]基地局は、スケジューリングエンティティとして機能することができる唯一のエンティティではない。すなわち、いくつかの例では、ＵＥがスケジューリングエンティティとして機能することができ、１つまたは複数のスケジュール対象エンティティ（たとえば、１つまたは複数の他のＵＥ）のためのリソースをスケジュールする。
【００５３】
[0062]図２に示されたように、スケジューリングエンティティ２０８（たとえば、基地局）は、１つまたは複数のスケジュール対象エンティティ２０６にダウンリンクトラフィック２１２をブロードキャストすることができる。大まかに、スケジューリングエンティティ２０８は、ダウンリンクトラフィック２１２、およびいくつかの例では、１つまたは複数のスケジュール対象エンティティ２０６からスケジューリングエンティティ２０８へのアップリンクトラフィック２１６を含む、ワイヤレス通信ネットワーク内のトラフィックをスケジュールすることに関与するノードまたはデバイスである。一方、スケジュール対象エンティティ２０６は、限定はしないが、スケジューリングエンティティ２０８などのワイヤレス通信ネットワーク内の別のエンティティから、スケジューリング情報（たとえば、認可）、同期もしくはタイミング情報、または他の制御御情報を含むダウンリンク制御情報２１４を受信するノードまたはデバイスである。
【００５４】
[0063]一般に、基地局は、ワイヤレス通信システムのバックホール部分２２０と通信するためのバックホールインターフェースを含んでよい。バックホール部分２２０は、ＲＡＮ２０４内の基地局とコアネットワーク２０２との間のリンクを実現することができる。さらに、いくつかの例では、バックホールネットワークは、ＲＡＮ２０４内のそれぞれの基地局間の相互接続を実現することができる。任意の適切なトランスポートネットワークを使用して、直接物理接続、仮想ネットワークなどの様々なタイプのバックホールインターフェースが利用されてよい。
【００５５】
[0064]コアネットワーク２０２は、ワイヤレス通信システム２００の一部であってよく、ＲＡＮ２０４において使用される無線アクセス技術とは無関係であってよい。いくつかの例では、コアネットワーク２０２は、５Ｇ規格（たとえば、５ＧＣ）に従って構成されてよい。他の例では、コアネットワーク２０２は、４Ｇの発展型パケットコア（ＥＰＣ）または任意の他の適切な規格もしくは構成に従って構成されてよい。
【００５６】
[0065]無線アクセスネットワーク２０４内のエアインターフェースは、１つまたは複数の二重化アルゴリズムを利用することができる。二重は、両方のエンドポイントが両方向で互いと通信することができるポイントツーポイント通信リンクを指す。全二重は、両方のエンドポイントが互いと同時に通信できることを意味する。半二重は、一度に１つのエンドポイントのみが他のエンドポイントに情報を送ることができることを意味する。ワイヤレスリンクでは、全二重チャネルは、一般に、送信機および受信機の物理的な分離、ならびに適切な干渉消去技術に依存する。全二重エミュレーションは、周波数分割複信（ＦＤＤ）または時分割複信（ＴＤＤ）を利用することにより、ワイヤレスリンクに対して頻繁に実施される。ＦＤＤでは、異なる方向の送信は、異なるキャリア周波数において動作する。ＴＤＤでは、所与のチャネル上の異なる方向の送信は、時分割多重化を使用して互いから分離される。すなわち、ある時間には、チャネルはある方向の送信専用であり、他の時間には、チャネルは他の方向の送信専用であり、方向は、非常に迅速に、たとえば、スロット当たり数回変わる可能性がある。
【００５７】
[0066]本開示のいくつかの態様では、スケジューリングエンティティおよび／またはスケジュール対象エンティティは、ビームフォーミングおよび／またはＭＩＭＯ技術のために構成されてよい。図３は、ＭＩＭＯをサポートするワイヤレス通信システム３００の一例を示す。ワイヤレス通信システム３００では、送信機３０２は、複数の送信アンテナ３０４（たとえば、Ｎ個の送信アンテナ）を含み、受信機３０６は、複数の受信アンテナ３０８（たとえば、Ｍ個の受信アンテナ）を含む。したがって、送信アンテナ３０４から受信アンテナ３０８へのＮ×Ｍ個の信号経路３１０が存在する。送信機３０２および受信機３０６の各々は、たとえば、（図２のコアネットワーク２０２などの）スケジューリングエンティティ、スケジュール対象エンティティ２０６、または任意の他の適切なワイヤレス通信デバイス内に実装されてよい。
【００５８】
[0067]そのような複数アンテナ技術を使用すると、ワイヤレス通信システムが、空間多重化と、ビームフォーミングと、送信ダイバーシティとをサポートするために空間領域を活用することが可能になる。空間多重化は、レイヤとも呼ばれる、データの異なるストリームを、同じ時間周波数リソース上で同時に送信するために使用されてよい。データストリームは、データレートを上げるために単一のＵＥに送信されてもよく、全体的なシステム容量を増大させるために複数のＵＥに送信されてもよく、後者はマルチユーザＭＩＭＯ（ＭＵ−ＭＩＭＯ）と呼ばれる。これは、各データストリームを空間的にプリコーディングすること（すなわち、異なる重み付けおよび位相シフトでデータストリームを多重化すること）、次いで、ダウンリンク上で複数の送信アンテナを介して空間的にプリコーディングされた各ストリームを送信することによって実現される。空間的にプリコーディングされたデータストリームは、異なる空間署名を有するＵＥに到達し、これにより、ＵＥの各々がそのＵＥに宛てられた１つまたは複数のデータストリームを復元することが可能になる。アップリンク上では、各ＵＥは空間的にプリコーディングされたデータストリームを送信し、これにより、基地局が空間的にプリコーディングされた各データストリームのソースを識別することが可能になる。
【００５９】
[0068]データストリームまたはレイヤの数は送信のランクに対応する。一般に、ＭＩＭＯをサポートするワイヤレス通信システム３００における送信のランクは、送信アンテナ３０４または受信アンテナ３０８の数のいずれか少ない方によって制限される。加えて、ＵＥにおけるチャネル状態、ならびに基地局における利用可能なリソースなどの他の考慮事項も、送信ランクに影響を及ぼす可能性がある。たとえば、ダウンリンク上の特定のＵＥに割り当てられるランク（したがって、データストリームの数）は、ＵＥから基地局に送信されるランクインジケータ（ＲＩ）に基づいて決定されてよい。ＲＩは、アンテナ構成（たとえば、送信アンテナおよび受信アンテナの数）、ならびに受信アンテナの各々で測定された信号対干渉雑音比（ＳＩＮＲ）に基づいて決定されてよい。ＲＩは、たとえば、現在のチャネル状態下でサポートされ得るレイヤの数を示すことができる。基地局は、ＵＥに送信ランクを割り当てるために、リソース情報（たとえば、ＵＥにスケジュールされるべき利用可能なリソースおよびデータ数）とともにＲＩを使用することができる。
【００６０】
[0069]時分割複信（ＴＤＤ）システムでは、ＵＬおよびＤＬは、同じ周波数帯域幅の異なる時間スロットを各々が使用するという点で相反する。したがって、ＴＤＤシステムでは、基地局は、ＵＬのＳＩＮＲ測定値に基づいて（たとえば、ＵＥから送信されたサウンディング基準信号（ＳＲＳ）または他のパイロット信号に基づいて）、ＤＬ  ＭＩＭＯ送信にランクを割り当てることができる。割り当てられたランクに基づいて、基地局は、次いで、マルチレイヤチャネル推定を実現するための、レイヤごとに別々のＣ−ＲＳシーケンスでＣＳＩ−ＲＳを送信することができる。ＣＳＩ−ＲＳから、ＵＥは、レイヤおよびリソースブロックにわたるチャネル品質を測定し、ランクを更新し、将来のダウンリンク送信にＲＥを割り当てる際に使用するために、基地局にＣＱＩ値とＲＩ値とをフィードバックすることができる。
【００６１】
[0070]最も簡単なケースでは、図３に示されたように、２×２ＭＩＭＯアンテナ構成上のランク２の空間多重化送信は、各送信アンテナ３０４から１つのデータストリームを送信する。各データストリームは、異なる信号経路３１０に沿って各受信アンテナ３０８に到達する。次いで、受信機３０６は、各受信アンテナ３０８からの受信信号を使用してデータストリームを復元することができる。
【００６２】
[0071]無線アクセスネットワーク１００上の送信が、非常に高いデータレートをさらに実現しながら低いブロック誤り率（ＢＬＥＲ）を取得するために、チャネルコーディングが使用されてよい。すなわち、ワイヤレス通信は、一般に、適切な誤り補正ブロックコードを利用することができる。典型的なブロックコードでは、情報メッセージまたはシーケンスはコードブロック（ＣＢ）に分割され、送信デバイスにあるエンコーダ（たとえば、コーデック）は、次いで、情報メッセージに冗長性を数学的に追加する。符号化された情報メッセージ内においてこの冗長性を活用すると、ノイズに起因して発生する可能性がある任意のビットエラーに対する補正が可能になり、メッセージの信頼性を改善することができる。
【００６３】
[0072]５Ｇ  ＮＲ規格では、ユーザデータは２つの異なるベースグラフを有する準巡回低密度パリティチェック（ＬＤＰＣ）を使用してコーディングされ、１つのベースグラフは大きいコードブロックおよび／または高いコードレートの場合に使用され、他のベースグラフは他の場合に使用される。制御情報および物理ブロードキャストチャネル（ＰＢＣＨ）は、ネストされたシーケンスに基づいて極コーディングを使用してコーディングされる。これらのチャネルの場合、パンクチャリング、ショートニング、および繰返しがレートマッチングに使用される。
【００６４】
[0073]しかしながら、当業者は、本開示の態様が任意の適切なチャネルコードを利用して実装され得ることを理解されよう。スケジューリングエンティティ２０８およびスケジュール対象エンティティ２０６の様々な実装形態は、ワイヤレス通信のためのこれらのチャネルコードのうちの１つまたは複数を利用するために、適切なハードウェアおよび能力（たとえば、エンコーダ、デコーダ、および／またはコーデック）を含んでよい。
【００６５】
[0074]無線アクセスネットワーク１００内のエアインターフェースは、様々なデバイスの同時通信を可能にするために、１つまたは複数の多重化と、複数のアクセスアルゴリズムとを利用することができる。たとえば、５Ｇ  ＮＲ規格は、サイクリックプレフィックス（ＣＰ）を有するＯＦＤＭを利用して、ＵＥ１２２および１２４から基地局１１０へのＵＬ送信のための多元接続、ならびに基地局１１０から１つまたは複数のＵＥ１２２および１２４へのＤＬ送信のための多重化を実現する。加えて、ＵＬ送信の場合、５Ｇ  ＮＲ規格は、（シングルキャリアＦＤＭＡ（ＳＣ−ＦＤＭＡ）とも呼ばれる）ＣＰを有する離散フーリエ変換拡張ＯＦＤＭ（ＤＦＴ−ｓ−ＯＦＤＭ）向けのサポートを提供する。しかしながら、本開示の範囲内では、多重化および多元接続は上記の方式に限定されず、時分割多元接続（ＴＤＭＡ）、符号分割多元接続（ＣＤＭＡ）、周波数分割多元接続（ＦＤＭＡ）、スパースコード多元接続（ＳＣＭＡ）、リソース拡張多元接続（ＲＳＭＡ）、または他の適切な多元接続方式を利用して実現されてもよい。さらに、基地局１１０からＵＥ１２２および１２４へのＤＬ送信を多重化することは、時分割多重化（ＴＤＭ）、符号分割多重化（ＣＤＭ）、周波数分割多重化（ＦＤＭ）、ＯＦＤＭ、スパースコード多重化（ＳＣＭ）、または他の適切な多重化方式を利用して実現されてもよい。
【００６６】
[0075]本開示の様々な態様は、図４に概略的に示されたＯＦＤＭ波形４００を参照して記載される。本開示の様々な態様は、以下で本明細書に記載される方法と実質的に同じ方法でＤＦＴ−ｓ−ＯＦＤＭＡ波形に適用され得ることは、当業者によって理解されるべきである。すなわち、本開示のいくつかの例は、明確にするためにＯＦＤＭリンクに焦点を当てる場合があるが、同じ原理がＤＦＴ−ｓ−ＯＦＤＭＡ波形にも適用され得ることを理解されたい。
【００６７】
[0076]本開示内で、フレームはワイヤレス通信のための１０ｍｓの持続時間を指し、各フレームは各々１ｍｓの１０個のサブフレームから構成される。所与のキャリア上には、ＵＬに１つの組のフレーム、ＤＬに別の組のフレームが存在する。次に図４を参照すると、例示的なＤＬサブフレーム４０２の拡大図が示され、ＯＦＤＭリソースグリッド４０４を示す。しかしながら、当業者なら容易に諒解するように、任意の特定のアプリケーションのためのＰＨＹ送信構造は、任意の数の要因に応じて、ここに記載された例とは異なる場合がある。ここで、時間はＯＦＤＭシンボルのユニットを有する水平方向であり、周波数はサブキャリアまたはトーンのユニットを有する垂直方向である。
【００６８】
[0077]リソースグリッド４０４は、所与のアンテナポートのための時間周波数リソースを概略的に表すために使用されてよい。すなわち、利用可能な複数のアンテナポートを有するＭＩＭＯ実装形態では、対応する複数のリソースグリッド４０４が通信に利用可能であり得る。リソースグリッド４０４は複数のリソース要素（ＲＥ）４０６に分割される。１サブキャリア×１シンボルであるＲＥは、時間周波数グリッドの最小個別部分であり、物理チャネルまたは信号からの単一の複素数値表現データを含んでいる。特定の実装形態において利用される変調に応じて、各ＲＥは１つまたは複数のビットの情報を表すことができる。いくつかの例では、ＲＥのブロックは、物理リソースブロック（ＰＲＢ）またはより簡単にリソースブロック（ＲＢ）４０８と呼ばれる場合があり、それは周波数領域内に任意の適切な数の連続するサブキャリアを含んでいる。一例では、ＲＢは、使用される数秘学とは無関係の数である、１２個のサブキャリアを含んでよい。いくつかの例では、数秘学に応じて、ＲＢは時間領域内に任意の適切な数の連続するＯＦＤＭシンボルを含んでよい。本開示内で、ＲＢ４０８などの単一のＲＢは単一方向の通信（所与のデバイスに対する送信または受信のどちらか）に全体的に対応することが想定される。
【００６９】
[0078]ＵＥは、一般に、リソースグリッド４０４のサブセットのみを利用する。ＲＢは、ＵＥに割り振ることができるリソースの最小単位であってよい。したがって、ＵＥのためにスケジュールされたリソースブロックが多いほど、またエアインターフェースのために選ばれた変調方式が高いほど、ＵＥのデータレートは高くなる。
【００７０】
[0079]この図では、ＲＢ４０８はサブフレーム４０２の帯域幅全体よりも小さく占有しているように示されており、いくつかのサブキャリアはＲＢ４０８の上下に示されている。所与の実装形態では、サブフレーム４０２は、任意の数の１つまたは複数のＲＢ４０８に対応する帯域幅を有することができる。さらに、この図では、ＲＢ４０８はサブフレーム４０２の持続時間全体よりも小さく占有しているように示されているが、これは１つの考えられる例にすぎない。
【００７１】
[0080]各々１ｍｓのサブフレーム４０２は、１つまたは複数の隣接スロットから構成されてよい。図４に示された例では、１つのサブフレーム４０２は、例示的な例のように、４つのスロット４１０を含む。いくつかの例では、スロットは、所与のサイクリックプレフィックス（ＣＰ）長を有する指定された数のＯＦＤＭシンボルに従って定義されてよい。たとえば、スロットは公称のＣＰを有する７個または１４個のＯＦＤＭシンボルを含んでよい。さらなる例は、より短い持続時間（たとえば、１つまたは２つのＯＦＤＭシンボル）を有するミニスロットを含んでよい。これらのミニスロットは、場合によっては、同じかまたは異なるＵＥ向けの進行中スロット送信のためにスケジュールされたリソースを占有して送信されてよい。
【００７２】
[0081]スロット４１０のうちの１つの拡大図は、制御領域４１２とデータ領域４１４とを含むスロット４１０を示す。一般に、制御領域４１２は制御チャネル（たとえば、ＰＤＣＣＨ）を搬送することができ、データ領域４１４はデータチャネル（たとえば、ＰＤＳＣＨまたはＰＵＳＣＨ）を搬送することができる。当然、スロットは、すべてのＤＬ、すべてのＵＬ、または少なくとも１つのＤＬ部分および少なくとも１つのＵＬ部分を含んでよい。図４に示された簡単な構造は、実際は例示的にすぎず、異なるスロット構造が利用されてもよく、制御領域およびデータ領域の各々のうちの１つまたは複数を含んでよい。
【００７３】
[0082]図４に示されていないが、制御チャネル、共有チャネル、データチャネルなどを含む１つまたは複数の物理チャネルを搬送するために、ＲＢ４０８内の様々なＲＥ４０６がスケジュールされてよい。ＲＢ４０８内の他のＲＥ４０６は、限定はしないが、復調基準信号（ＤＭＲＳ）、制御基準信号（ＣＲＳ）、またはサウンディング基準信号（ＳＲＳ）を含む、パイロット信号または基準信号を搬送することもできる。これらのパイロット信号または基準信号は、受信デバイスが対応するチャネルのチャネル推定を実行することを実現することができ、それにより、ＲＢ４０８内の制御チャネルおよび／またはデータチャネルのコヒーレントな復調／検出が可能になり得る。
【００７４】
[0083]ＤＬ送信では、送信デバイス（たとえば、スケジューリングエンティティ２０８）は、ＰＢＣＨ、ＰＳＳ、ＳＳＳ、物理制御フォーマットインジケータチャネル（ＰＣＦＩＣＨ）、物理ハイブリッド自動再送要求（ＨＡＲＱ）インジケータチャネル（ＰＨＩＣＨ）、および／または物理ダウンリンク制御チャネル（ＰＤＣＣＨ）などの１つまたは複数のＤＬ制御チャネルを含む、ＤＬ制御情報２１４を１つまたは複数のスケジュール対象エンティティ２０６に搬送するために、（たとえば、制御領域４１２内に）１つまたは複数のＲＥ４０６を割り振ることができる。ＰＣＦＩＣＨは、ＰＤＣＣＨを受信し復号する際に受信デバイスを支援する情報を提供する。ＰＤＣＣＨは、限定はしないが、電力制御コマンド、スケジューリング情報、認可、ならびに／またはＤＬ送信およびＵＬ送信向けのＲＥの割当てを含む、ダウンリンク制御情報（ＤＣＩ）を搬送する。ＰＨＩＣＨは、肯定応答（ＡＣＫ）または否定応答（ＮＡＣＫ）などのＨＡＲＱフィードバック送信を搬送する。ＨＡＲＱは当業者によく知られた技法であり、たとえば、チェックサムまたは巡回冗長検査（ＣＲＣ）などの任意の適切な完全性検査機構を利用して、正確さを求めて受信側においてパケット送信の完全性がチェックされ得る。送信の完全性が確認された場合、ＡＣＫが送信されてよく、確認されなかった場合、ＮＡＣＫが送信されてよい。ＮＡＣＫに応答して、送信デバイスはＨＡＲＱ再送信を送ることができ、ＨＡＲＱ再送信は、チェイス合成、インクリメンタル冗長性などを実装することができる。
【００７５】
[0084]ＵＬ送信では、送信デバイス（たとえば、スケジュール対象エンティティ２０６）は、物理アップリンク制御チャネル（ＰＵＣＣＨ）などの１つまたは複数のＵＬ制御チャネルを含むＵＬ制御情報２１８をスケジューリングエンティティ２０８に搬送するために、１つまたは複数のＲＥ４０６を利用することができる。ＵＬ制御情報２１８は、パイロット信号、基準信号、および、アップリンクデータ送信の復号を可能にするかまたは復号の際に支援するように構成された情報を含む、様々なパケットタイプとパケットカテゴリとを含んでよい。いくつかの例では、ＵＬ制御情報２１８は、スケジューリング要求（ＳＲ）、すなわち、スケジューリングエンティティ２０８がアップリンク送信をスケジュールすることを求める要求を含んでよい。ここで、ＰＵＣＣＨ内で送信されたＳＲに応答して、スケジューリングエンティティ２０８は、アップリンクパケット送信のためのリソースをスケジュールすることができるダウンリンク制御情報２１４を送信することができる。ＵＬ制御情報は、ＨＡＲＱフィードバック、チャネル状態フィードバック（ＣＳＦ）、または任意の他の適切なＵＬ制御情報も含んでよい。
【００７６】
[0085]制御情報に加えて、（たとえば、データ領域４１４内の）１つまたは複数のＲＥ４０６がユーザデータまたはトラフィックデータのために割り振られてよい。そのようなトラフィックは、ＤＬ送信の場合の物理ダウンリンク共有チャネル（ＰＤＳＣＨ）、またはＵＬ送信の場合の物理アップリンク共有チャネル（ＰＵＳＣＨ）などの、１つまたは複数のトラフィックチャネル上で搬送されてよい。いくつかの例では、データ領域４１４内の１つまたは複数のＲＥ４０６は、所与のセルに対するアクセスを可能にすることができる情報を搬送するシステム情報ブロック（ＳＩＢ）を搬送するように構成されてよい。
【００７７】
[0086]上述され、図２および図４に示されたチャネルまたはキャリアは、必ずしもスケジューリングエンティティ２０８とスケジュール対象エンティティ２０６との間で利用され得るすべてのチャネルまたはキャリアであるとは限らず、当業者は、示されたチャネルまたはキャリアに加えて、他のトラフィックチャネル、制御チャネル、およびフィードバックチャネルなどの、他のチャネルまたはキャリアが利用されてよいことを認識されよう。
【００７８】
[0087]上述されたこれらの物理チャネルは、一般に、媒体アクセス制御（ＭＡＣ）レイヤにおいて処理するために、多重化され、トランスポートチャネルにマッピングされる。トランスポートチャネルは、トランスポートブロック（ＴＢ）と呼ばれる情報のブロックを搬送する。情報のビット数に対応することができるトランスポートブロックサイズ（ＴＢＳ）は、変調および符号化方式（ＭＣＳ）および所与の送信内のＲＢの数に基づいて制御されるパラメータであってよい。
【００７９】
[0088]ＯＦＤＭでは、サブキャリアまたはトーンの直交性を維持するために、サブキャリア間隔はシンボル期間の逆数に等しくてもよい。ＯＦＤＭ波形の数秘学は、その特定のサブキャリア間隔およびサイクリックプレフィックス（ＣＰ）オーバーヘッドを指す。スケーラブルな数秘学は、異なるサブキャリア間隔を選択し、それに応じて、間隔ごとに、ＣＰ長を含む対応するシンボル持続時間を選択するネットワークの能力を指す。スケーラブルな数秘学では、公称のサブキャリア間隔（ＳＣＳ）が、上方または下方に整数倍だけスケール変更されてよい。このようにして、ＣＰオーバーヘッドおよび選択されたＳＣＳにかかわらず、シンボル境界は、シンボルのある特定の公倍数に整列されてよい（たとえば、各１ｍｓのサブフレームの境界に整列されてよい）。ＳＣＳの範囲は任意の適切なＳＣＳを含んでよい。たとえば、スケーラブルな数秘学は、１５ｋＨｚから４８０ｋＨｚまでの範囲のＳＣＳをサポートすることができる。
【００８０】
[0089]図５は、第１のＲＢ５０２が公称の数秘学を有し、第２のＲＢ５０４がスケール変更された数秘学を有する、スケーラブルな数秘学５００のいくつかの態様を示す。一例として、第１のＲＢ５０２は、３０ｋＨｚの「公称の」サブキャリア間隔（ＳＣＳn）と、３３３μｓの「公称の」シンボル持続時間nとを有することができる。ここで、第２のＲＢ５０４では、スケール変更された数秘学は、公称のＳＣＳの２倍のスケール変更されたＳＣＳ、すなわち２×ＳＣＳn＝６０ｋＨｚを含む。これはシンボル当たり２倍の帯域幅を提供するので、それは同じ情報を搬送するのに短縮されたシンボル持続時間をもたらす。したがって、第２のＲＢ５０４では、スケール変更された数秘学は、公称のシンボル持続時間の半分のスケール変更されたシンボル持続時間、すなわち（シンボル持続時間n）÷２＝１６７μｓを含む。
【００８１】
[0090]本開示の態様によれば、１つまたは複数のスロットは自己完結型スロットとして構造化されてよい。たとえば、図６は自己完結型スロット６００および６５０の２つの例示的な構造を示す。自己完結型スロット６００および６５０は、いくつかの例では、上述され、図４に示されたスロット４１０の代わりに使用されてよい。
【００８２】
[0091]図示された例では、ＤＬ中心スロット６００は送信機にスケジュールされたスロットであってよい。ＤＬ中心という名称は、一般に、ＤＬ方向の送信（たとえば、スケジューリングエンティティ２０８からスケジュール対象エンティティ２０６への送信）により多くのリソースが割り振られた構造を指す。同様に、ＵＬ中心スロット６５０は、ＵＬ方向の送信（たとえば、スケジュール対象エンティティ２０６からスケジューリングエンティティ２０８への送信）により多くのリソースが割り振られた、受信機にスケジュールされたスロットであってよい。
【００８３】
[0092]自己完結型スロット６００および６５０などの各スロットは、送信（Ｔｘ）部分と受信（Ｒｘ）部分とを含んでよい。たとえば、ＤＬ中心スロット６００では、スケジューリングエンティティ２０８は、まず、たとえば、ＰＤＣＣＨ上で、ＤＬ制御領域６０２内の制御情報を送信する機会を有し、次いで、ＰＤＳＣＨ上で、ＤＬデータ領域６０４内のＤＬユーザデータまたはトラフィックを送信する機会を有する。適切な持続時間６１０を有するガード期間（ＧＰ）領域６０６に続いて、スケジューリングエンティティ２０８は、キャリアを使用する他のエンティティからのＵＬバースト６０８内で、ＵＬデータ、および／または、任意のＵＬスケジューリング要求、ＣＳＦ、ＨＡＲＱ  ＡＣＫ／ＮＡＣＫなどを含むＵＬフィードバックを受信する機会を有する。ここで、ＤＬ中心スロット６００などのスロットは、ＤＬデータ領域６０４内で搬送されるデータのすべてが同じスロットのＤＬ制御領域６０２内でスケジュールされるとき、またさらに、ＤＬデータ領域６０４内で搬送されるデータのすべてが同じスロットのＵＬバースト６０８内で確認応答される（または少なくとも確認応答される機会を有する）とき、自己完結型スロットと呼ばれる場合がある。このようにして、各自己完結型スロットは、自己完結型エンティティと考えられてよく、任意の他のスロットが任意の所与のパケットのためにスケジューリング送信確認応答サイクルを完了することを必ずしも必要としない。
【００８４】
[0093]ＧＰ領域６０６は、ＵＬおよびＤＬのタイミングにおける可変性に適応するために含められてよい。たとえば、無線周波数（ＲＦ）アンテナの（たとえば、ＤＬからＵＬへの）方向切替えに起因する待ち時間および送信経路の待ち時間は、ＤＬタイミングに整合するためにＵＬ上でスケジュール対象エンティティ２０６に早く送信させることができる。そのような早期送信は、スケジューリングエンティティ２０８から受信されたシンボルと干渉する可能性がある。したがって、ＧＰ領域６０６は、干渉を防止するためにＤＬデータ領域６０４の後の時間を可能にすることができ、ＧＰ領域６０６は、スケジューリングエンティティ２０８がそのＲＦアンテナ方向を切り替えるための適切な時間と、オーバージエア（ＯＴＡ）送信のための適切な時間と、スケジュール対象エンティティによるＡＣＫ処理のための適切な時間とを提供する。
【００８５】
[0094]同様に、ＵＬ中心スロット６５０は自己完結型スロットとして構成されてよい。ＵＬ中心スロット６５０はＤＬ中心スロット６００と実質的に同様であり、ＤＬ制御領域６５２とＵＬデータ領域６５６との間に設けられ、ＵＬバースト領域６５８がその後に続く、ガード期間６５４を含む。
【００８６】
[0095]スロット６００および６５０に示されたスロット構造は、自己完結型スロットの一例にすぎない。他の例が、すべてのスロットの最初にある共通ＤＬ部分と、すべてのスロットの最後にある共通ＵＬ部分とを含んでよく、これらそれぞれの部分の間にスロットの構造における様々な差異が存在する。本開示の範囲内で他の例がさらに提供されてよい。
【００８７】
[0096]複数のＵＥから送信された信号を基地局に同時に到達させるためにタイミングアドバンスが使用される。図７は、４つのＵＥ７０４、７０６、７０８、７１０が基地局７０２とアクティブに通信している、無線アクセスネットワーク７００の一例を示す。各ＵＥ７０４、７０６、７０８、７１０は、基地局７０２とＵＥ７０４、７０６、７０８、７１０との間のそれぞれの伝搬経路７１４、７１６、７１８、７２０の特性に起因する伝搬遅延（時間1−時間4）に遭遇する。例では、２つのＵＥ７０８、７１０は基地局７０２から実質的に同じ距離に位置し、他の２つのＵＥ７０４、７０６よりも基地局７０２から遠く、それらのうちの１つのＵＥ７０４は基地局７０２に最も近い。例における最大伝搬遅延（時間4）は、建物または表面７１２からの１つまたは複数の反射を含む伝搬経路７２０と関連付けられる。反射は都市環境において重要であり得る。伝搬遅延は、反復デバイス、および無線アクセスネットワーク７００によってカバーされる物理環境の他の態様によってもたらされる遅延を含んでよい。
【００８８】
[0097]様々な無線アクセス技術では、ＵＥ７０４、７０６、７０８、７１０にアップリンク送信を早めさせる個別化されたタイミングアドバンス情報が、ＵＥ７０４、７０６、７０８、７１０に提供される。タイミングアドバンス情報の正味効果および結果としてのアップリンク送信の前倒しは、各ＵＥ７０４、７０６、７０８、７１０からの送信を基地局７０２に同時に到達させるためである。各ＵＥ７０４、７０６、７０８、７１０は、そのスケジュールされた送信時間に負のオフセットを加え、その送信をスケジュールよりも早く開始させる。
【００８９】
[0098]例示された無線アクセスネットワーク７００では、最大の伝搬遅延を有するＵＥ７１０は、そのスケジュールされたアップリンク送信のためのタイミングを、ＵＥ７１０がより小さい伝搬遅延に関連付けられたＵＥ７０４、７０６、７０８よりも早く送信を開始するように調整する。
【００９０】
[0099]基地局７０２は、ラウンドトリップタイミングに基づいてタイミングアドバンス持続時間を計算することができる。各ＵＥ７０４、７０６、７０８、７１０は、ダウンリンクサブフレームの到達時間から基準時間を計算することができる。基準時間は、次いで、ＵＥ７０４、７０６、７０８、７１０のための対応するタイミングアドバンス値に基づいて、アップリンクサブフレームタイミングスケジュールと、調整された送信スケジュールとを決定するために使用されてよい。タイミングアドバンスは、同じ伝搬遅延値がダウンリンク送信とアップリンク送信の両方に適用されることを想定して、２倍の伝搬遅延に基づいてよい。
【００９１】
[0100]ＬＴＥネットワークにおけるタイミングアドバンスは、たとえば、ＵＥ７０４、７０６、７０８、７１０が、±４×Ｔｓ秒以上の相対精度でそれらそれぞれの送信のタイミングを調整することを実現し、ここで、Ｔｓは３ＧＰＰによって定義された基本時間単位である。ＬＴＥの例では、Ｔｓ＝１／（１５０００×２０４８）秒である。タイミングアドバンスコマンドは、現在のアップリンクタイミングに対して１６×Ｔｓの倍数で表される。単一のステップサイズはＬＴＥネットワーク用に定義される。
【００９２】
[0101]タイミングアドバンス（ＴＡ）コマンドは、ＵＥ７０４、７０６、７０８、７１０による無線アクセスネットワーク７００の初期アクセスを含むランダムアクセス手順の間に、ランダムアクセスチャネル（ＲＡＣＨ）内で送られる。ＴＡコマンドは、セルサイズに依存するＴＡ値を提供するランダムアクセス応答（ＲＡＲ）内で、スケジューリングエンティティ（基地局７０２）によって提供される。
【００９３】
[0102]ＵＥ７０４、７０６、７０８、７１０が接続状態および／またはアイドル状態にある間に送られるＴＡコマンドは、１６×Ｔｓの粒度を有し、その値は６ビットで表される。固定されたビット数は、無線アクセスネットワーク７００によってサポートされる精度と最大範囲との間のトレードオフをもたらす。以下を含むいくつかの要因がＴＡのステップサイズまたは粒度に影響を及ぼす：  
・セルサイズ、ＣＰ長、および／またはトーン（サブキャリア）間隔。  
・サブ６ＧＨＺおよびミリメートル波の使用。  
・ＨＡＲＱタイムライン。  
・様々なサービス、たとえば、ＵＲＬＬＣまたはｅＭＢＢ。  
ＴＡ持続時間は、ＵＥ７０４、７０６、７０８、７１０ごとに異なってもよい。たとえば、ＵＥ７０４、７０６、７０８、７１０は、異なるモビリティ特性（速度）および／または強い経路ジャンプを被る可能性がある。  
５Ｇ  ＮＲにおけるタイミングアドバンス
【００９４】
[0103]本明細書で開示されたいくつかの態様は、５Ｇ  ＮＲ無線アクセスネットワーク向けの改善されたタイミングアドバンスを提供する。５Ｇ  ＮＲ無線アクセスネットワークにおけるタイミングアドバンスは、以前の無線アクセス技術に関するさらなる変動および／または制限を被る可能性がある。たとえば、５Ｇ  ＮＲは様々な数秘学をサポートすることができ、スケーラブルな数秘学をサポートする無線アクセスネットワークを実装するために使用されてよい。無線アクセスネットワークは、サブキャリア間隔（ＳＣＳ）（たとえば、ｎ×１５ｋＨｚ）のための様々なステップサイズと、対応するスケーラブルなＣＰ長とをサポートすることができる。拡張モバイルブロードバンド、および超高信頼低遅延通信を含む、様々な異なるサービスが実装されてよい。異なるＨＡＲＱタイミング：ｎ＋ｘのタイミングが実装されてよく、ここで、ｘ＝０、１、２、３、４ＨＡＲＱである。
【００９５】
[0104]いくつかの態様によれば、５Ｇ  ＮＲ無線アクセスネットワークの数秘学は、ＣＰ長に従ってスケール変更することができるＴＡステップサイズを使用して処理されてよい。ネ例、１つのステップサイズはすべてのＳＣＳのために定義されてよい。別の例では、１つのステップサイズはＳＣＳごとに個別に定義されてよい。さらなる例では、１つのステップサイズは１つまたは複数のＳＣＳグループのために定義されてよい。一例として、ステップサイズがＳＣＳグループごとに定義されると、１つのステップサイズはグループ｛１５ｋＨｚ／３０ｋＨｚ／６０ｋＨｚ｝のために定義されてよく、１つのステップサイズはグループ｛１２０ｋＨｚ／２４０ｋＨｚ｝のために定義されてよく、１つのステップサイズは単一メンバのグループ｛４８０ｋＨｚ｝のために定義されてよい。いくつかの他の例では、ＳＣＳは異なるようにグループ化されてよい。
【００９６】
[0105]いくつかの実装形態では、サブ６ＧＨＺおよび／またはミリメートル波における同じＳＣＳ（たとえば、６０ＫＨｚ）のために異なるステップサイズが定義されてよい。認可帯域および無認可帯域における同じＳＣＳのために異なるステップサイズが定義されてよい。
【００９７】
[0106]いくつかの態様によれば、ＴＡコマンドに割り当てられるビット数は、５Ｇ  ＮＲ無線アクセスネットワークでは、固定であっても可変であってもよい。
【００９８】
[0107]第１の例では、ＴＡコマンドに割り当てられるビット数は固定であり、より小さいステップサイズが使用されると、最大タイミングアドバンス値は削減されてもよい。たとえば、ＬＴＥと同じ方法で定義されたＴｓでは、初期アクセスのために１１ビットのＴＡ値が定義されると、５Ｇ  ＮＲ無線アクセスネットワークは以下の特性を有することができる：  
・１５ｋＨｚのＳＣＳ向けの１６ＴｓのＴＡステップサイズでは、最大ＴＡは６６７μｓまたは１００ｋｍである。  
・３０ｋＨｚ／６０ｋＨｚのＳＣＳグループ向けの８ＴｓのＴＡステップサイズでは、最大ＴＡは３３３μｓまたは５０ｋｍである。  
・１２０ｋＨｚ／２４０ｋＨｚのＳＣＳグループ向けの４ＴｓのＴＡステップサイズでは、最大ＴＡは１６７μｓまたは２５ｋｍである。
【００９９】
[0108]接続状態および／またはアイドル状態のために６ビットのＴＡ値が定義されると、５Ｇ  ＮＲ無線アクセスネットワークは以下の特性を有することができる：  
・１５ｋＨｚのＳＣＳ向けの１６ＴｓのＴＡステップサイズでは、最大ＴＡは３２．８μｓである。  
・３０ｋＨｚ／６０ｋＨｚのＳＣＳグループ向けの８ＴｓのＴＡステップサイズでは、最大ＴＡは１６．４μｓである。  
・１２０ｋＨｚ／２４０ｋＨｚのＳＣＳグループ向けの４ＴｓのＴＡステップサイズでは、最大ＴＡは８．２μｓである。
【０１００】
[0109]５Ｇ  ＮＲ無線アクセスネットワークのために、可変ＴＡステップサイズおよび／またはＴＡ持続時間を表す可変ビット数が定義されてよい。たとえば、初期アクセス向けの１２ビットおよび／または接続状態向けの８ビットを有する１５ｋＨｚのＳＣＳのために８ＴｓのＴＡステップサイズが定義されてもよい。
【０１０１】
[0110]第２の例では、ＴＡコマンドに割り当てられるビット数は数秘学によって異なってもよい。すなわち、異なる数秘学に異なるビット数が使用されてよい。場合によっては、６６７μｓまたは１００ｋｍの最大ＴＡを提供するために、１５ｋＨｚのＳＣＳ向けの１６ＴｓのＴＡステップサイズでは、１１ビットのＴＡ値が使用されてよい。１６７μｓまたは２５ｋｍの最大ＴＡを提供するために、３０ｋＨｚ／６０ｋＨｚのＳＣＳ向けの８ＴｓのＴＡステップサイズでは、１０ビットのＴＡ値が使用されてよい。
【０１０２】
[0111]いくつかの態様によれば、５Ｇ  ＮＲ無線アクセスネットワークにおけるタイミングアドバンスは、様々なＨＡＲＱタイムラインに適応するように構成されてよい。たとえば、最大のＴＡおよび／またはＴＡステップサイズは、より短いＨＡＲＱタイムラインの場合より小さくてもよい。場合によっては、自己完結型スロットが送信されるとき、ＨＡＲＱタイミングはより短くてもよい。
【０１０３】
[0112]いくつかの態様によれば、５Ｇ  ＮＲ無線アクセスネットワークにおけるタイミングアドバンスは、様々なサービスに適応するように構成されてよい。いくつかの実装形態では、最大のＴＡおよび／またはＴＡステップサイズは、ＵＲＬＬＣが利用されるときに縮小されてよい。同じセル内でも、ＵＲＬＬＣのＵＥは、拡張モバイルブロードバンド（ｅＭＢＢ）のＵＥよりも小さいカバレージを有する場合がある。サブ６ＧＨＺの実装形態によるよりも大きいタイミングジャンプが、ミリメートル波の実装形態によって遭遇される可能性がある。より大きいＴＡ範囲に適応するために、より大きいステップサイズまたはより多いビット数が利用されてよい。  
スケジューリングエンティティ
【０１０４】
[0113]図８は、処理システム８１４を採用するスケジューリングエンティティ８００のためのハードウェア実装形態の一例を示すブロック図である。たとえば、スケジューリングエンティティ８００は、図１もしくは図２のうちのいずれか１つもしくは複数において示されたか、または本明細書の他の場所で参照されたようなユーザ機器（ＵＥ）であってよい。別の例では、スケジューリングエンティティ８００は、図１または図２のうちのいずれか１つまたは複数に示されたような基地局であってよい。
【０１０５】
[0114]スケジューリングエンティティ８００は、１つまたは複数のプロセッサ８０４を含む処理システム８１４を用いて実装されてよい。プロセッサ８０４の例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって記載された様々な機能を実行するように構成された他の適切なハードウェアが含まれる。様々な例では、スケジューリングエンティティ８００は、本明細書に記載された機能のうちのいずれか１つまたは複数を実行するように構成されてよい。すなわち、スケジューリングエンティティ８００において利用されるプロセッサ８０４は、以下に記載され、図１０に示されるプロセスおよび手順のうちのいずれか１つまたは複数を実施するために使用されてよい。
【０１０６】
[0115]この例では、処理システム８１４は、バス８０２によって概略的に表されるバスアーキテクチャを用いて実装されてよい。バス８０２は、処理システム８１４の具体的な適用例および全体的な設計制約に応じて、任意の数の相互接続するバスおよびブリッジを含んでよい。バス８０２は、（プロセッサ８０４によって概略的に表される）１つまたは複数のプロセッサと、メモリ８０５と、（コンピュータ可読媒体８０６によって概略的に表される）コンピュータ可読媒体とを含む、様々な回路を互いに通信可能に結合する。バス８０２はまた、タイミングソース、周辺機器、電圧調節器、および電力管理回路などの、様々な他の回路をリンクすることもでき、これらの回路は当技術分野においてよく知られており、したがって、これ以上記載されない。バスインターフェース８０８は、バス８０２とトランシーバ８１０との間のインターフェースを実現する。トランシーバ８１０は、伝送媒体を介して様々な他の装置と通信するための通信インターフェースまたは通信手段を実現する。装置の性質に応じて、ユーザインターフェース８１２（たとえば、キーパッド、ディスプレイ、スピーカ、マイクロフォン、ジョイスティック）も設けられてよい。
【０１０７】
[0116]本開示のいくつかの態様では、プロセッサ８０４は、たとえば、スケーラブルな数秘学をサポートする無線アクセスネットワークのためのタイミングアドバンスステップサイズを計算および／または決定することを含む、様々な機能のために構成された回路８４０を含んでよい。プロセッサ８０４は、たとえば、無線アクセスネットワークに結合されたＵＥに送信されるタイミング遅延を表すためのビットサイズを計算および／または決定することを含む、様々な機能のために構成された回路８４２を含んでよい。たとえば、回路は、図１０に関して以下に記載される機能のうちの１つまたは複数を実装するように構成されてよい。
【０１０８】
[0117]プロセッサ８０４は、バス８０２を管理すること、およびコンピュータ可読媒体８０６に記憶されたソフトウェアの実行を含む全般的な処理に関与する。ソフトウェアは、プロセッサ８０４によって実行されると、任意の特定の装置のための以下に記載される様々な機能を処理システム８１４に実行させる。コンピュータ可読媒体８０６およびメモリ８０５はまた、ソフトウェアを実行するときにプロセッサ８０４によって操作されるデータを記憶するために使用されてよい。
【０１０９】
[0118]処理システム内の１つまたは複数のプロセッサ８０４はソフトウェアを実行することができる。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。ソフトウェアはコンピュータ可読媒体８０６上に存在してもよい。コンピュータ可読媒体８０６は非一時的コンピュータ可読媒体であってよい。非一時的コンピュータ可読媒体には、例として、磁気ストレージデバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の適切な媒体が含まれる。コンピュータ可読媒体８０６は、処理システム８１４内に存在するか、処理システム８１４の外部に存在するか、または処理システム８１４を含む複数のエンティティにわたって分散されてよい。コンピュータ可読媒体８０６はコンピュータプログラム製品内で具現化されてよい。例として、コンピュータプログラム製品はパッケージング材料内にコンピュータ可読媒体を含んでよい。特定の適用例およびシステム全体に課される全体的な設計制約に応じて、本開示全体にわたって提示される記載された機能をどのように最も良く実装するかを、当業者は認識されよう。
【０１１０】
[0119]１つまたは複数の例では、コンピュータ可読媒体８０６は、たとえば、図１０のプロセス１０００に関連付けられた機能のうちの１つまたは複数を実行することを含む、様々な機能のために構成されたソフトウェアを含んでよい。一例では、コンピュータ可読媒体８０６は、スケーラブルな数秘学を有する変調方式を利用する無線アクセスネットワークのためのタイミングアドバンス構成を処理システム８１４に定義させるように構成された、コンピュータ実行可能コード８５２、８５４を記憶する。  
スケジュール対象エンティティ
【０１１１】
[0120]図９は、処理システム９１４を採用する例示的なスケジュール対象エンティティ９００のためのハードウェア実装形態の一例を示す概念図である。本開示の様々な態様によれば、要素、または要素の任意の部分、または要素の任意の組合せは、１つまたは複数のプロセッサ９０４を含む処理システム９１４を用いて実装されてよい。たとえば、スケジュール対象エンティティ９００は、図１もしくは図２のうちのいずれか１つもしくは複数において示されたか、または本明細書の他の場所で参照されたようなユーザ機器（ＵＥ）であってよい。
【０１１２】
[0121]処理システム９１４は、図８に示された処理システム８１４と実質的に同じであってよく、バスインターフェース９０８と、バス９０２と、メモリ９０５と、プロセッサ９０４と、コンピュータ可読媒体９０６とを含む。１つまたは複数の例では、コンピュータ可読媒体９０６は、たとえば、図１０のプロセス１０００に関連付けられた機能のうちの１つまたは複数を実行することを含む、様々な機能のために構成されたソフトウェア９５２、９５４を含んでよい。
【０１１３】
[0122]さらに、スケジュール対象エンティティ９００は、図８に上述されたそれらと実質的に同様の、ユーザインターフェース９１２と、トランシーバ９１０とを含んでよい。すなわち、スケジュール対象エンティティ９００において利用されるプロセッサ９０４は、以下に記載され、図１０に示されるプロセスのうちのいずれか１つまたは複数を実施するために使用されてよい。
【０１１４】
[0123]本開示のいくつかの態様では、プロセッサ９０４は、たとえば、スケーラブルな数秘学をサポートする無線アクセスネットワークのためのタイミングアドバンスステップサイズを決定することを含む、様々な機能のために構成された回路９４０を含んでよい。プロセッサ９０４は、たとえば、無線アクセスネットワークに結合されたＵＥに送信されるタイミング遅延を表すためのビットサイズを計算および／または決定することを含む、様々な機能のために構成された回路９４２を含んでよい。たとえば、回路は、図１０に関して以下に記載される機能のうちの１つまたは複数を実装するように構成されてよい。
【０１１５】
[0124]図１０は、本開示のいくつかの態様によるプロセス１０００を示すフローチャートである。以下に記載されるように、一部またはすべての図示された特徴は、本開示の範囲内の特定の実装形態において省略されてもよく、いくつかの図示された特徴は、すべての実施形態の実装に必要とされない場合がある。いくつかの例では、プロセス１０００は、図８に示されたスケジューリングエンティティ８００によって実行されてよい。一例では、プロセスは、スケーラブルな数秘学をサポートする無線アクセスネットワークのためのタイミングアドバンスステップサイズを計算および／または決定するために構成された回路８４０を使用して、部分的または全体的に実装されてよい。一例では、プロセスは、無線アクセスネットワークに結合されたＵＥに送信されるタイミング遅延を表すためのビットサイズを計算および／または決定するために構成された回路８４２を使用して、部分的または全体的に実装されてよい。他の例では、プロセス１０００は、以下に記載される機能またはアルゴリズムを実行するための任意の適切な装置または手段によって実行されてよい。
【０１１６】
[0125]ブロック１００２において、スケジューリングエンティティは、スケーラブルな数秘学を有する変調方式を利用する無線アクセスネットワークのためのタイミングアドバンス構成を定義することができる。タイミングアドバンス構成は、無線アクセスネットワークによって使用される数秘学に適応するように定義されてよい。
【０１１７】
[0126]ブロック１００４において、スケジューリングエンティティは、無線アクセスネットワークと通信しているＵＥのためのタイミングアドバンス構成と一致するタイミングアドバンスパラメータを決定することができる。
【０１１８】
[0127]ブロック１００６において、スケジューリングエンティティは、ＵＥに関係する初期アクセス手順の間に、またはＵＥが無線アクセスネットワーク内で接続状態にある間に、ＵＥにタイミングアドバンスパラメータを送信することができる。
【０１１９】
[0128]タイミングアドバンス構成は、無線アクセスネットワークのために定義された１つまたは複数のサブキャリア間隔のためのタイミングアドバンスステップサイズを構成することによって定義されてよい。タイミングアドバンス構成は、無線アクセスネットワークのために定義されたすべてのサブキャリア間隔のためのタイミングアドバンスステップサイズを構成することによって定義されてよい。
【０１２０】
[0129]場合によっては、無線アクセスネットワークのためにサブキャリア間隔のグループが定義される。タイミングアドバンス構成は、サブキャリア間隔のグループ内のサブキャリア間隔のためのタイミングアドバンスステップサイズを構成することによって定義されてよい。一例では、サブキャリア間隔のグループは、１５ｋＨｚ、３０ｋＨｚ、および６０ｋＨｚのサブキャリア間隔を含む。別の例では、サブキャリア間隔のグループは、１２０ｋＨｚおよび２４０ｋＨｚのサブキャリア間隔を含む。
【０１２１】
[0130]場合によっては、無線アクセスネットワークのためにサイクリックプレフィックス長のグループが定義され、タイミングアドバンス構成は、サイクリックプレフィックス長のグループ内のサイクリックプレフィックス長ごとにタイミングアドバンスステップサイズを構成することによって定義されてよい。
【０１２２】
[0131]いくつかの例では、タイミングアドバンス構成を定義することは、タイミングアドバンスパラメータ内でＵＥに送信されるタイミングアドバンス持続時間を表すために使用されるビット数を構成することを含む。タイミングアドバンス構成は、無線アクセスネットワークのために定義された１つまたは複数のサブキャリア間隔のためのタイミングアドバンスステップサイズを構成することによって定義されてよい。タイミングアドバンスステップサイズ、およびタイミングアドバンス値を表すために使用されるビット数は、最大タイミングアドバンス持続時間、または所望のタイミングアドバンス粒度を有する無線アクセスネットワークの範囲を取得するために選択されてよい。所望のタイミングアドバンス粒度は、ＨＡＲＱタイムラインによって決定されてよい。タイミングアドバンス構成は、無線アクセスネットワークのために定義された１つまたは複数のサブキャリア間隔のためのタイミングアドバンスステップサイズを構成することによって定義されてよい。タイミングアドバンスステップサイズ、およびタイミングアドバンス値を表すために使用されるビット数は、ＨＡＲＱのための無線アクセスネットワークによって定義された最大タイミングアドバンス持続時間を取得するために選択されてよい。
【０１２３】
[0132]一例では、タイミングアドバンス構成を定義することは、無線アクセスネットワークのために定義された１つまたは複数のサブキャリア間隔のためのタイミングアドバンスステップサイズに基づいて、タイミングアドバンス持続時間を表すために使用されるビット数を構成することを含む。
【０１２４】
[0133]一例では、タイミングアドバンス構成を定義することは、ＵＥがｅＭＢＢのＵＥとして動作するように構成されるときのタイミングアドバンス持続時間を表すために使用される第１のビット数を構成することと、ＵＥがＵＲＬＬＣのＵＥとして動作するように構成されるときのタイミングアドバンス持続時間を表すために使用される第２のビット数を構成することとを含む。
【０１２５】
[0134]一例では、タイミングアドバンス構成を定義することは、ＵＥがｅＭＢＢのＵＥとして動作するように構成されるときの第１のタイミングアドバンスステップサイズを構成することと、ＵＥがＵＲＬＬＣのＵＥとして動作するように構成されるときの第２のタイミングアドバンスステップサイズを構成することとを含む。
【０１２６】
[0135]一例では、タイミングアドバンス構成を定義することは、無線アクセスネットワークによって使用される周波数範囲に基づいて、サブキャリア間隔のための１つまたは複数のタイミングアドバンスステップサイズを構成することを含む。無線アクセスネットワークは、サブ６ＧＨｚ周波数およびミリメートル波長に関連付けられた帯域幅を使用するように構成可能であってよい。
【０１２７】
[0136]本明細書で開示されたいくつかの態様によれば、ワイヤレス通信のための装置は、無線アクセスネットワークによって使用される数秘学に適応するようにタイミングアドバンス構成を定義することに適合された、スケーラブルな数秘学を有する変調方式を利用する無線アクセスネットワークのためのタイミングアドバンス構成を定義するための手段と、無線アクセスネットワークと通信しているＵＥのためのタイミングアドバンス構成と一致するタイミングアドバンスパラメータを決定するための手段と、ＵＥに関係する初期アクセス手順の間に、またはＵＥが無線アクセスネットワーク内で接続状態にある間に、ＵＥにタイミングアドバンスパラメータを送信するための手段とを含む。
【０１２８】
[0137]一例では、タイミングアドバンス構成を定義するための手段は、無線アクセスネットワークのために定義された１つまたは複数のサブキャリア間隔のためのタイミングアドバンスステップサイズを構成することに適合されてよい。タイミングアドバンス構成を定義するための手段は、無線アクセスネットワークのために定義されたすべてのサブキャリア間隔のためのタイミングアドバンスステップサイズを構成することに適合されてよい。
【０１２９】
[0138]様々な例では、無線アクセスネットワークのためにサブキャリア間隔のグループが定義され、タイミングアドバンス構成を定義するための手段は、サブキャリア間隔のグループ内のサブキャリア間隔のためのタイミングアドバンスステップサイズを構成することに適合される。タイミングアドバンス構成を定義するための手段は、サブキャリア間隔のグループ内のサブキャリア間隔ごとにサイクリックプレフィックス長を構成することに適合されてよい。
【０１３０】
[0139]いくつかの例では、タイミングアドバンス構成を定義するための手段は、無線アクセスネットワークのために定義された１つまたは複数のサブキャリア間隔のためのタイミングアドバンスステップサイズに基づいて、タイミングアドバンスパラメータ内のＵＥに送信されるタイミングアドバンス持続時間を表すために使用されるビット数を構成することに適合されてよい。タイミングアドバンス構成を定義するための手段は、無線アクセスネットワークのために定義された１つまたは複数のサブキャリア間隔のためのタイミングアドバンスステップサイズを構成することに適合されてよい。タイミングアドバンスステップサイズ、およびタイミングアドバンス持続時間を表すために使用されるビット数は、最大タイミングアドバンス持続時間、または所望のタイミングアドバンス粒度を有する無線アクセスネットワークの範囲を取得するために選択されてよい。タイミングアドバンス構成を定義するための手段は、無線アクセスネットワークのために定義された１つまたは複数のサブキャリア間隔のためのタイミングアドバンスステップサイズを構成することに適合されてよい。タイミングアドバンスステップサイズ、およびタイミングアドバンス持続時間を表すために使用されるビット数は、ＨＡＲＱのための無線アクセスネットワークによって定義された最大タイミングアドバンス持続時間を取得するために選択されてよい。
【０１３１】
[0140]いくつかの実装形態では、タイミングアドバンス構成を定義するための手段は、ＵＥがｅＭＢＢのＵＥとして動作するように構成されるときのタイミングアドバンス持続時間を表すために使用される第１のビット数を構成することと、ＵＥがＵＲＬＬＣのＵＥとして動作するように構成されるときのタイミングアドバンス持続時間を表すために使用される第２のビット数を構成することとに適合されてよい。タイミングアドバンス構成を定義するための手段は、ＵＥがｅＭＢＢのＵＥとして動作するように構成されるときの第１のタイミングアドバンスステップサイズを構成することと、ＵＥがＵＲＬＬＣのＵＥとして動作するように構成されるときの第２のタイミングアドバンスステップサイズを構成することとに適合されてよい。タイミングアドバンス構成を定義するための手段は、無線アクセスネットワークによって使用される周波数範囲に基づいて、サブキャリア間隔のための１つまたは複数のタイミングアドバンスステップサイズを構成することに適合されてよい。無線アクセスネットワークは、サブ６ＧＨｚ周波数およびミリメートル波長に関連付けられた帯域幅を使用するように構成可能であってよい。
【０１３２】
[0141]いくつかの態様によれば、ワイヤレス通信のための装置は、プロセッサと、少なくとも１つのプロセッサに通信可能に結合されたトランシーバと、少なくとも１つのプロセッサに通信可能に結合されたメモリとを有する。プロセッサは、スケーラブルな数秘学を有する変調方式を利用する無線アクセスネットワークのためのタイミングアドバンス構成を定義することと、無線アクセスネットワークと通信しているＵＥのためのタイミングアドバンス構成と一致するタイミングアドバンスパラメータを決定することと、ＵＥに関係する初期アクセス手順の間に、またはＵＥが無線アクセスネットワーク内で接続状態にある間に、ＵＥにタイミングアドバンスパラメータを送信することとを行うように構成されてよい。タイミングアドバンス構成は、無線アクセスネットワークによって使用される数秘学に適応するように定義される。
【０１３３】
[0142]無線アクセスネットワークのためにサブキャリア間隔のグループが定義され、プロセッサは、サブキャリア間隔のグループ内のサブキャリア間隔のためのタイミングアドバンスステップサイズを構成するように構成されてよい。プロセッサは、無線アクセスネットワークのために定義された１つまたは複数のサブキャリア間隔のためのタイミングアドバンスステップサイズを構成するように構成されてよい。タイミングアドバンスステップサイズ、およびタイミングアドバンス持続時間を表すために使用されるビット数は、最大タイミングアドバンス持続時間、または所望のタイミングアドバンス粒度を有する無線アクセスネットワークの範囲を取得するために選択されてよい。
【０１３４】
[0143]例示的な実装形態を参照して、ワイヤレス通信ネットワークのいくつかの態様が提示されている。当業者が容易に諒解するように、本開示全体にわたって記載された様々な態様は、他の電気通信システム、ネットワークアーキテクチャ、および通信規格に拡張されてよい。
【０１３５】
[0144]例として、様々な態様は、ロングタームエボリューション（ＬＴＥ）、発展型パケットシステム（ＥＰＳ）、ユニバーサルモバイルテレコミュニケーションシステム（ＵＭＴＳ）、および／またはモバイル用グローバルシステム（ＧＳＭ（登録商標））などの、３ＧＰＰによって定義された他のシステム内で実装されてよい。様々な態様はまた、ＣＤＭＡ２０００および／またはエボリューションデータオプティマイズド（ＥＶ−ＤＯ）などの、第３世代パートナーシッププロジェクト２（３ＧＰＰ２）によって定義されたシステムに拡張されてよい。他の例は、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、ウルトラワイドバンド（ＵＷＢ）、Ｂｌｕｅｔｏｏｔｈ（登録商標）を採用するシステム、および／または他の適切なシステム内に実装されてよい。採用される実際の電気通信規格、ネットワークアーキテクチャ、および／または通信規格は、具体的な適用例およびシステムに課される全体的な設計制約に依存する。
【０１３６】
[0145]本開示内で、「例示的」という単語は、「例、事例、または例示として働くこと」を意味するために使用される。「例示的」として本明細書に記載されたいかなる実装形態または態様も、必ずしも本開示の他の態様よりも好ましいかまたは有利であると解釈されるべきではない。同様に、「態様」という用語は、本開示のすべての態様が、説明された特徴、利点、または動作モードを含むことを必要としない。「結合される」という用語は、２つのオブジェクトの間を直接的または間接的に結合することを指すために本明細書において使用される。たとえば、オブジェクトＡがオブジェクトＢに物理的に接触し、オブジェクトＢがオブジェクトＣに接触する場合、オブジェクトＡおよびＣは、それらが互いに直接物理的に接触しない場合でも、やはり互いに結合されていると見なされてよい。たとえば、第１のオブジェクトが第２のオブジェクトと決して直接物理的に接触しない場合でも、第１のオブジェクトは第２のオブジェクトに結合されてよい。「回路（circuit）」および「回路（circuitry）」という用語は広く使用され、接続および構成されたとき、電子回路のタイプに関する制限なしに本開示に記載された機能の実行を可能にする、電気デバイスおよび電気導体のハードウェア実装形態、ならびにプロセッサによって実行されたとき、本開示に記載された機能の実行を可能にする、情報および命令のソフトウェア実装形態の両方を含むものとする。
【０１３７】
[0146]本明細書に示された構成要素、ステップ、特徴、および／または機能のうちの１つまたは複数は、単一の構成要素、ステップ、特徴、または機能に再構成および／または結合されてもよく、いくつかの構成要素、ステップ、または機能において具現化されてもよい。本明細書で開示された新規の特徴から逸脱することなく、さらなる要素、構成要素、ステップ、および／または機能が追加されてもよい。本明細書に示された装置、デバイス、および／または構成要素は、本明細書に記載された方法、特徴、またはステップのうちの１つまたは複数を実行するように構成されてよい。本明細書に記載された新規のアルゴリズムはまた、効率的にソフトウェアに実装され、および／またはハードウェアに組み込まれてよい。
【０１３８】
[0147]開示された方法におけるステップの特定の順序または階層は、例示的なプロセスの一例であることを理解されたい。設計上の選好に基づいて、方法におけるステップの特定の順序または階層は、並べ替えられてよいことを理解されたい。添付の方法クレームは、様々なステップの要素を例示的な順序で提示し、添付の方法クレーム内で特に列挙されていない限り、提示された特定の順序または階層に限定されるものではない。
【図１】
2020522930.tif 000003
【図２】
2020522930.tif 000004
【図３】
2020522930.tif 000005
【図４】
2020522930.tif 000006
【図５】
2020522930.tif 000007
【図６】
2020522930.tif 000008
【図７】
2020522930.tif 000009
【図８】
2020522930.tif 000010
【図９】
2020522930.tif 000011
【図１０】
2020522930.tif 000012
【国際調査報告】
2020522930.tif 000013
2020522930.tif 000014
2020522930.tif 000015